(57)【要約】滑走ボードのデッキに回転可能に固定されるベースアセンブリを備え、ユーザを滑走ボードに解除可能に固定するようにベースアセンブリとともに動作可能なビンディングシステムを有する、スノーボードまたはウェイクボード等の複数の異なる滑走ボードでの使用に互換性があるように構成される、多機能ビンディングシステムである。ベースアセンブリは、種々の構成要素、すなわち、滑走ボードの装着構成を介して滑走ボードに固定されるように設計される支持ディスクの周りを回転可能であるボンネット内で支持される、調整機構および解除機構を備える。ビンディングシステムは、従来の関連ビンディングシステムでは利用できない、独特かつ有利な解除機能を提供する。
2010538756.tif 000002
【特許請求の範囲】
【請求項１】
滑走ボードの周囲でユーザを解除可能に支持して、該滑走ボードの使用を容易にするように動作可能なビンディングシステムであって、該ビンディングシステムは、
ブーツアセンブリとともにユーザの足を解除可能に固定するように動作可能なビンディングと、
滑走ボードのデッキに回転可能かつ取り外し可能に固定され、該滑走ボードの周囲で該ビンディングおよび該ブーツアセンブリを解除可能に連結するように構成される、ベースアセンブリであって、該ベースアセンブリは、
該滑走ボードの該デッキに取り外し可能に連結されるように構成される、第１の構成要素と、
該第１の構成要素および該滑走ボードに対して回転可能であり、これらとともに動作可能である、第２の構成要素と
を備え、
該第２の構成要素は、該第１の構成要素および該滑走ボードの周囲での該第２の構成要素の回転調整を容易にして、該滑走ボードに対する該ユーザの複数のスタンス配向を達成するように構成される、調整機構と、該ビンディングを受容して係合し、かつ該ベースアセンブリおよび該滑走ボードからの該ビンディングの加圧および選択的な解除を容易にするように構成される、解除機構とを備える、ベースアセンブリと
を備える、ビンディングシステム。
【請求項２】
前記ベースアセンブリと前記滑走ボードの前記デッキとの間に位置するデッキパッドをさらに備え、該デッキパッドは、該ベースアセンブリと該滑走ボードとの間で強化される相互作用を容易にするように構成される、請求項１に記載のビンディングシステム。
【請求項３】
前記第１の構成要素は、支持ディスクを備え、前記第２の構成要素は、少なくとも部分的に、ボンネットを備え、該支持ディスクおよび前記調整機構は、前記ベースアセンブリの選択配向において相互に動作可能に係合する、請求項１に記載のビンディングシステム。
【請求項４】
前記調整機構は、前記ベースアセンブリによって、および前記支持ディスクの周囲で枢動可能に支持される、付勢ロッキングレバーを備える、請求項１に記載のビンディングシステム。
【請求項５】
前記支持ディスクおよび前記ロッキングレバーは、インボリュート曲線に沿って１４．５度を超える偏向角を有する、英国式バットレス設計の相補的な歯の構成を備える、請求項４に記載のビンディングシステム。
【請求項６】
前記解除機構は、前記ベースアセンブリから前記ビンディングを解除するように選択的に手動で動作させられ、該解除機構は、
自身の中に形成されるカム部分を有し、前記第２の構成要素内に枢動可能に支持される、把持可能な解除レバーと、
爪先プランジャに動作可能に連結され、これを付勢し、該第２の構成要素の前方部分の周囲で支持され、かつ該解除機構とともに動作可能である、第１の付勢プランジャレバーであって、該爪先プランジャは、該ビンディングに解除可能に係合するように構成される、第１の付勢プランジャレバーと、
踵プランジャに動作可能に連結され、これを付勢し、該第２の構成要素の後方部分の周囲で支持される、第２の付勢プランジャレバーであって、該第２の付勢プランジャレバーは、該解除機構とともに選択的に動作可能であり、該踵プランジャは、該ビンディングに解除可能に係合するように動作可能である、第２の付勢プランジャレバーと、
該解除レバーとともに該第１のプランジャを変位させるように動作可能である、解除カムであって、これにより、該解除レバーの手動作動時に、かつ該第１のプランジャレバーに作用する事前設定された張力を克服することを要求されずに、該ビンディングからの該爪先プランジャの後退を達成する、解除カムと
を備える、請求項１に記載のビンディングシステム。
【請求項７】
前記解除レバーの前記カム部分は、該解除レバーを手動で作動させる時に、反対の端から前記第１のプランジャレバーをトグルするように機能する、請求項６に記載のビンディングシステム。
【請求項８】
前記第１および第２のプランジャレバーは、複動式であり、複合運動を提供するように動作する、請求項６に記載のビンディングシステム。
【請求項９】
前記第１のプランジャレバーは、一方の端において解除カムによって動作可能に支持され、もう一方の端においてばねによって付勢され、該第１のプランジャレバーは、該第１のプランジャレバーに対する枢動点を作成するために前記ベースアセンブリの内側に沿って形成される内径に相応する、該付勢された端に沿う半径を備える、請求項６に記載のビンディングシステム。
【請求項１０】
前記解除機構が、張力解除を容易にし、前記ビンディングシステムが、可変で調整可能な事前設定された張力設定を備え、これにより、前記ビンディングは、事前設定された張力解除閾値を超える力および結果として生じる圧力を及ぼす時に、該ビンディングが前記ベースアセンブリから自動的に解除するように機能する、請求項６に記載のビンディングシステム。
【請求項１１】
前記爪先および踵プランジャは、各々、自身の中に形成され、かつ前記ビンディングによって適用されるような自身の上への力を受容するように動作可能である、複数の圧力面を備え、該圧力面は、それぞれの圧力角度で形成されることにより、無数の解除角度のうちの１つにおいて、前記ベースアセンブリからの該ビンディングの最適な張力解除を容易にする、請求項６に記載のビンディングシステム。
【請求項１２】
前記圧力面は、３５°と４０°との間の圧力角度で形成されて、前記ビンディングの解除のカム運動を遅延させ、かつ該解除前のカム作用を低減することによって該解除までの蓄積を容易にし、これにより、解除張力が前記ビンディングシステムの事前設定された張力設定に一致するまで、該圧力面の周囲でいかなる移動または歪曲も発生しない、請求項１１に記載のビンディングシステム。
【請求項１３】
前記解除レバーは、後退または未作動の位置にある間、該解除レバーを適所に固定するように動作可能である戻り止めロッキング機能を備え、該解除レバーは、該解除レバーと前記ベースアセンブリ内で支持されるポストとの解除可能な係合を容易にする戻り止めを備える、請求項６に記載のビンディングシステム。
【請求項１４】
前記戻り止めは、前記解除レバーの適所へのスナップ留めを容易にする、カム部分をさらに備える、請求項１３に記載のビンディングシステム。
【請求項１５】
前記解除レバーは、該戻り止めに近接する弓形の解除ノッチをさらに備えることにより、該解除レバーが前記ポストと係合および係脱する時に、前記戻り止めの限定された歪曲および屈曲を容易にする、請求項１３に記載のビンディングシステム。
【請求項１６】
前記第１の構成要素は、標準的な３穴連結配設、標準的な４穴連結配設、およびこれらの任意の組み合わせから成る群より選択される、連結配設を備える、請求項１に記載のビンディングシステム。
【請求項１７】
前記ベースアセンブリ、したがって前記ビンディングシステムは、互換性があり、異なるタイプの滑走ボードでの使用に対して構成される、請求項１に記載のビンディングシステム。
【請求項１８】
前記第２の構成要素は、ライザ機能を提供するように動作可能に構成されることにより、前記ビンディングを持ち上げられた位置に支持して、前記ビンディングシステムのてこの作用を増加させ、かつ潜在的な爪先または踵の抗力を低減または排除する、請求項１に記載のビンディングシステム。
【請求項１９】
前記デッキパッドは、前記ベースアセンブリと前記滑走ボードとの間の適切な嵌合を容易にするように、該ベースアセンブリと該滑走ボードとの間で作用するあらゆる負荷または圧力の均一な分配を促進するように、および該ベースアセンブリと該滑走ボードとの間の抵抗を制御することに役立つように、動作可能に構成される、請求項２に記載のビンディングシステム。
【請求項２０】
前記デッキパッドは、前記第２の構成要素の外形と実質的に同じ外形を備える、請求項２に記載のビンディングシステム。
【請求項２１】
前記デッキパッドは、前記滑走ボードの非平面表面の周囲で前記ビンディングシステムの適切な動作を容易にするように動作可能に構成される、少なくとも１つの隆起表面をさらに備える、請求項２に記載のビンディングシステム。
【請求項２２】
前記デッキパッドは、前記ベースアセンブリと動作可能に接続する、請求項２に記載のビンディングシステム。
【請求項２３】
前記デッキパッドは、前記ベースアセンブリと一体的に形成される、請求項２に記載のビンディングシステム。
【請求項２４】
前記ビンディングと、
該ビンディングに動作可能に連結され、前記ユーザの足を該ビンディングに固定するように構成される、ブーツアセンブリと
を備える、ビンディングアセンブリをさらに備え、
該ビンディングは、該ユーザを支持するための上側表面と、前記ベースアセンブリの１つ以上の上側表面と噛合し、それらに係合する１つ以上の下側表面とを有する、主支持プレートを備え、
該ビンディングは、該ベースアセンブリに対応する、請求項１に記載のビンディングシステム。
【請求項２５】
前記下側表面は、前記ベースアセンブリの前記上側表面に係合し、かつ張力解除前に、前記滑走ボードの周囲で前記ユーザの安定性を強化し、該ベースアセンブリへの前記ビンディングの保持を確実にするように機能する、複数の突出部を備える、請求項２４に記載のビンディングシステム。
【請求項２６】
前記ビンディングは、前記主支持プレートから延在する爪先および踵ピースをさらに備え、これらの各々は、前記ベースアセンブリ内で支持されるそれぞれの爪先および踵プランジャに係合するように動作可能である、請求項２４に記載のビンディングシステム。
【請求項２７】
前記主支持プレートは、自身の中に形成される側部窓をさらに備えることにより、前記調整および解除機構の変位または作動を中断することなく、前記ベースアセンブリへの前記ビンディングの連結を容易にする、請求項２４に記載のビンディングシステム。
【請求項２８】
前記ビンディングは、自身とともに動作可能である少なくとも１つのフットプレートをさらに備えることにより、前記ユーザの前記足を支持するために該ビンディングによって提供される表面積を増加させる、請求項２４に記載のビンディングシステム。
【請求項２９】
前記ビンディングは、自身とともに動作可能である前方および後方フットプレートをさらに備えることにより、前記ユーザの足を支持するために前記ビンディングによって提供される前記表面積を増加させる、前記前方および後方フットプレートのうちの少なくとも１つは、前記主支持プレートに対して、およびその周囲で調整可能に支持されることにより、異なるユーザの足の寸法に適応する、請求項２８に記載のビンディングシステム。
【請求項３０】
前記ブーツアセンブリは、
前記ビンディングに解除可能に固定される、踵カップと、
前記ユーザの脚に係合するように該踵カップに枢動可能に連結される、脚支持部と、
該ブーツアセンブリ内において該ユーザの前記足を調整可能に固定するように該踵カップとともに動作可能である、ストラップ保持システムと
を備える、請求項２４に記載のビンディングシステム。
【請求項３１】
前記ブーツアセンブリは、前記ビンディングから上向きに、および前記ユーザの脚の後ろおよび周囲に延在する、安定部をさらに備える、請求項２４に記載のビンディング。
【請求項３２】
前記踵カップは、前記ビンディングに摺動可能に装着されることにより、異なるユーザの足の寸法に適応する、請求項３０に記載のビンディングシステム。
【請求項３３】
前記ストラップ保持システムは、
前方ストラップシステムと、
後方ストラップシステムと
を備え、
該前方および後方ストラップシステムは各々、前記ストラップに対して横断方向に配向した軸を受容して係合するように構成される開口を有する、少なくとも１つのストラップを備え、該軸は、該ストラップの厚さよりも大きい長さを備えることにより、該ストラップから突出し、
前記ビンディングは、該ストラップを受容するスロットを備え、
該スロットは、該軸を受容して係合する、自身の中に形成されるオリフィスを備える該ストラップを該ビンディングに解除可能かつ枢動可能に連結することにより、該ストラップが該スロットを通って滑動することを防止する、請求項３０に記載のビンディングシステム。
【請求項３４】
滑走ボードの周囲でユーザを解除可能に支持するように、ビンディングシステム内においてベースアセンブリとともに動作可能である、ビンディングであって、
該ユーザの足を受容して支持するための上側表面と、該ビンディングが該ベースアセンブリに解除可能に連結される時に、ボンネットの上側表面および該ベースアセンブリの支持ディスクの上部プレートに隣接するように設計される下側表面とを有する、主支持プレートと、
該主支持プレートの前方部分に位置し、かつ該主支持プレートから延在する爪先ピースであって、該ベースアセンブリの爪先プランジャに解除可能に係合する内面の中に形成される受容部をさらに備える、爪先ピースと、
該主支持プレートの後方部分に位置し、かつ該主支持プレートから延在する踵ピースであって、該ベースアセンブリの爪先プランジャに解除可能に係合する内面の中に形成される受容部をさらに備える、踵ピースと、
該主支持プレートの該上側表面の周囲で支持される前方および後方フットプレートであって、該前方および後方フットプレートのうちの少なくとも１つは、該ビンディングに摺動可能に連結される、前方および後方フットプレートと、
該ビンディングに解除可能に装着される踵カップを備えるブーツアセンブリであって、該ビンディングを該ユーザの該足に固定するように動作可能である前方および後方ストラップ保持システムをさらに備える、ブーツアセンブリと
を備える、ビンディング。
【請求項３５】
滑走ボードシステムであって、
滑走ボードと、
該滑走ボードの周囲でユーザを解除可能に支持するように動作可能であることにより、該滑走ボードの使用を容易にする、ビンディングシステムであって、該ビンディングシステムは、
ユーザの足を解除可能に固定するように、ブーツアセンブリとともに動作可能なビンディングと、
滑走ボードのデッキに回転可能かつ取り外し可能に固定され、該滑走ボードの周囲で該ビンディングを動作可能かつ解除可能に連結するように構成される、ベースアセンブリであって、該ベースアセンブリは、
該滑走ボードの該デッキに取り外し可能に連結されるように構成される、第１の構成要素と、
該滑走ボードに対する該ユーザの複数のスタンス配向を容易にするように、該第１の構成要素に対して回転可能であり、これとともに動作可能である、第２の構成要素と、
該ビンディングを受容して係合し、該ベースアセンブリおよび該滑走ボードからの該ビンディングの加圧および選択的解除を容易にするように、該第２の構成要素とともに動作可能である、解除機構と
を備える、ベースアセンブリと、
該ビンディングに動作可能に連結され、該ユーザの足を該ビンディングに固定するように構成される、ブーツアセンブリと
を備える、ビンディングシステムと
を備える、システム。
【請求項３６】
前記滑走ボードシステムは、異なるタイプの第２の滑走ボードを備え、前記ビンディングシステムは、前記滑走ボードと該第２の滑走ボードとの間で互換性があり、両方とともに動作可能である、請求項３５に記載の滑走ボードシステム。
【請求項３７】
滑走ボードを動作させるための方法であって、
自身とともに動作可能であるビンディングシステムを有する、滑走ボートを得ることであって、該ビンディングシステムは、該滑走ボードのデッキに取り外し可能に連結されるように構成される、第１の構成要素と、該第１の構成要素に対して回転可能であり、これとともに動作可能である、第２の構成要素とを有する、ことと、
該ビンディングシステムによって提供されるような、該滑走ボードに対する該ユーザの複数のスタンス配向のうちの１つをダイヤルで設定するように、調整機構を作動させることと
を含む、方法。
【発明の詳細な説明】
【技術分野】
【０００１】
（関連出願）
本願は、米国特許出願第１１／９００，６５３号（２００７年９月１１日出願）の利益を主張し、この出願は、米国特許出願第１１／１５４，２８８号（名称「Ｍｕｌｔｉ−Ｆｕｎｃｔｉｏｎ  Ｂｉｎｄｉｎｇ  Ｓｙｓｔｅｍ」、２００５年６月１５日出願）の利益を主張し、この出願は米国仮特許出願第６０／５７９，５２６号（名称「ＥＺ  ｍｕｌｔｉｆｕｎｃｔｉｏｎ  ｒｅｌｅａｓｅ  ｂｉｎｄｉｎｇ  ｆｏｒ  ｂｏａｒｄｓ  ａｎｄ  ｓｋｉｓ」、２００４年６月１５日出願）および米国特許出願第１０／４６７，９４１号（名称「Ｕｎｉｖｅｒｓａｌ  Ｓｋｉ  ａｎｄ  Ｓｎｏｗｂｏａｒｄ  Ｂｉｎｄｉｎｇ」、２００３年８月１４日出願）の優先権の利益を主張し、この出願は、国際出願第ＰＣＴ／ＵＳ０２／０５１７４号（名称「Ｕｎｉｖｅｒｓａｌ  Ｓｋｉ  ａｎｄ  Ｓｎｏｗｂｏａｒｄ  Ｂｉｎｄｉｎｇ」、２００２年２月１５日出願）の利益を主張し、この出願は米国仮特許出願第６０／２６８，５４２号（名称「Ｚ  Ｒｅｌｅａｓｅ  Ｓｙｓｔｅｍ」、２００１年２月１５日出願）、同第６０／２６８，５４１号（名称「Ｂｒｅａｋａｗａｙ  Ｉｎｔｅｒｆａｃｅ」、２００１年２月１５日出願）および同第６０／３４８，２７４号（名称「Ｚ  Ｃｏｍｂｏ  Ｒｅｌｅａｓｅ  ＆  Ｃｏｎｖｅｒｓｉｏｎ  Ｓｙｓｔｅｍ」、２００２年１月１５日出願）の優先権を主張し、これらの出願の各々は、それらの全体が本明細書に参考として援用される。
【０００２】
（発明の分野）
本発明は、ユーザまたは滑走者の片足または両足を滑走ボードに固定し、ユーザが、スキー、スノーボード、ウェイクボード等の滑走スポーツに参加できるように構成されるビンディングに関する。より具体的には、本発明は、互換性のある、調整可能な張力解除ビンディングに関し、ビンディングまたはビンディングの設計が、水上またはスノースキー、スノーボード、水上スキー、ウェイクボード等の複数の異なるタイプの滑走ボードでの使用に適合され得る。
【背景技術】
【０００３】
スノーボード、スキー、ウェイクボード、および同様の滑走スポーツは、多数の人々が参加する競技スポーツ、およびレクリエーション活動としての人気を高めつつある。これらのスノーボード、スキー、ウェイクボード、および他の滑走ボード等のスポーツまたは活動に使用される滑走ボードは、その機能や性能を向上させる新しい技術によって絶えず進化している。
【０００４】
最近、スノーボードは、人気が高まり、スキーとほぼ同じ程度に普及している。残念なことに、スノーボード用具は、スキーに関して開発されたものであって、特にスノーボードを滑走者の両足に固定するために提供されるビンディングシステムに関しては、安全面で後れを取っている。現在、最も広く使用されているスノーボードビンディングの形態は、スノーボードに締結される２つのビンディングを含み、各ビンディングは、滑走者のそれぞれのブーツの周囲で締結するように適合される複数のストラップを有する。使用時に、滑走者は、自分のブーツを着用した足をビンディング上に置き、そして、ストラップをブーツの周囲に締め付けてボードを滑走者の脚に固定する。ボードを取り外すためには、滑走者は、スノーボードビンディングを滑走者のブーツから解除するために、各ストラップを手動で個々に緩める必要がある。プレートビンディングおよびステップインビンディングを含む、他のタイプの締結具およびビンディングも利用可能である。
【０００５】
これらのタイプのビンディングに対する１つの重大な欠点は、望ましくない、潜在的に安全でない負荷に応答してそれらが解除可能ではないこと、すなわち、スノーボードからユーザの足を解除できるようにするいかなる解除機能も提供しないことである。スノーボードによる怪我の大半は、転倒中にスノーボードがユーザに固定されたままであることによって生じるか、または悪化することが知られている。いくつかの極端な事例では、スノーボードおよびスノーボードビンディングから解除することができないユーザが、深い雪の中での窒息によって死亡している。スノーボードが解除されず、滑走者の足に取り付けられたままでは、スノースライドまたは雪崩の場合にスノーボードの長さがアンカーの役割を果たす可能性があり、雪に覆われると、滑走者は、ボードを取り外すために、ビンディングストラップに手が届き得ない可能性がある。したがって、スノーボードが、激しい転倒または雪崩の場合に生じ得るような、異常な力を受けた場合に、スノーボードビンディングが滑走者の脚をボードへの取り付けから解除できるようにすることが望ましくなり得る。
【０００６】
スノーボードビンディングに関連する別の問題点は、滑走者が、山の斜面の頂上に戻るためにスキーリフトまたはスキートウを使用したいと思う場合に生じる。リフトラインにうまく入り、リフトの椅子に座るために、滑走者は、概して、片方の足をボードから自由にして、所定の位置に容易に移動できるようにしなければならない。リフトの椅子から降りた後に、自由になったブーツは、スノーボード上の自由になっているビンディング内に再び締結しなければならない。従来のビンディングを緩める、および再び締結するこの一定のサイクルは、体力を消耗するとともに時間もかかり、したがって、改善されたスノーボードビンディングが、所望される時にボードから少なくとも１つのブーツをより容易に固定および解除できるようにすることが望ましい。
【０００７】
スキービンディングは、従来から、スキーブーツとスキービンディングとの間に異常な力が存在し、よって、それらの力が怪我を生じさせ得るスキーヤーの脚に伝わらないように、スキーをスキーブーツから解除するように設計されている。しかしながら、スキービンディング内には、適切かつ安全な解除、または張力の解除を提供するために、複雑な機構が採用されている。これらの複雑な機構は、一般的に、限られた数値の解除角度だけしか提供せず、したがって、衝撃または他の力が妥当な解除を始動させない可能性を高くする。その欠陥にもかかわらず、スノーボードビンディングは、激しい転倒の際に、特にスノーボーダーの胴体または脚がボードに対して捻じられる場合に、負傷する可能性が低下するように、同様の張力解除機構を有することが有利である。
【０００８】
従来の関連するビンディングに関する別の問題は、滑走ボードのタイプの間にいかなる互換性も無く、したがって、２つ以上の滑走スポーツに参加する費用が増加する。実際に、スキーと同時にスノーボード、ウェイクボード等を行いたいと思う人が多い。たとえば、午前中にはアルペンスキーを使用してスキーをしたいが、その後、午後にはスノーボードで滑りたいと思う人がいる場合がある。そのようにするために、人々は、アルペンスキーまたはスノーボードを使用するために、着用するブーツのタイプを変更しなければならない。したがって、スノーボードに対するものと同様に、アルペンスキーに対して有効で適用可能な汎用のビンディングを提供することが非常に有益である。さらに、この汎用ビンディングは、水上スキー、ウェイクボード、およびその他を含むが、これに限定されない、他の滑走ボードにも適用可能である。
【発明の概要】
【課題を解決するための手段】
【０００９】
従来の関連するビンディングに固有の問題および欠陥に照らして、本発明は、複数の機能的側面を有するビンディングシステムを提供することによってこれらを克服しようとする。実際に、スノーボードおよびスキー等の滑走ボードの滑走者は、自身の足を滑走ボードに固定するか、あるいは解除可能に装着するように構成される、何らかのビンディング手段を必要とする。加えて、滑走ボードからユーザを自由にしてビンディングシステムを解除できるようにする、可変およびユーザが調整可能な張力解除、無数の解除角度、可変およびユーザが調整可能なスタンス配向、および、選択的に、多くの異なるタイプの滑走ボードに単一のビンディングまたは単一のビンディング設計を使用する能力等の、他の特徴を有することが望ましい。これらのそれぞれが、本発明のビンディングシステムで提供される。
【００１０】
例示的な一実施形態では、ビンディングシステムは、滑走ボードのデッキに回転可能に固定されるベースアセンブリを備え、ユーザを滑走ボードに解除可能に固定するようにベースアセンブリとともに動作可能なビンディングを有する。ビンディングシステムは、概して、ビンディングと、ベースアセンブリとを含む。ベースアセンブリは、種々の構成要素、すなわち、滑走ボードの装着構成を介して滑走ボードに固定されるように設計される支持ディスクの周りで回転可能であるボンネット内で支持される、調整機構および解除機構を備える。支持ディスクは、好ましくは、４つ穴または７つ穴パターン等の種々の標準的な穴パターンのうちの１つを使用して、滑走ボードのデッキに連結し、穴のパターンは、支持ディスク内に提供される。支持ディスクは、ベースアセンブリを滑走ボードに回転可能に固定するように機能する。
【００１１】
滑走者の足のそれぞれは、ビンディングとともに動作可能なブーツシステムによって適所に保持される。各ビンディングは、ビンディングをボンネット上に嵌合させ、ビンディングを爪先および踵プランジャに係合し、したがって、それを適所に固定することによって、ベースアセンブリに係合するように構成される。換言すれば、ビンディングシステムは、単に、足をブーツアセンブリ内に置き、ビンディングをベースアセンブリの上に設置し、かつベースアセンブリ上の適所にビンディングを下ろしてスナップ留めするように下向きの力を適用し、したがって、ビンディングに係合して解除可能に連結するベースアセンブリの爪先および踵プランジャとともに、ビンディングシステムを動作させることによって、滑走者が、ビンディングシステムに「ステップイン」できるようにする。ベースアセンブリは、滑走ボードの性能および滑走ボードに対するユーザの関係を向上させる等のために、種々の利点を提供するライザ機能を提供するようにさらに機能する。
【００１２】
従来の関連するスノーボードのビンディングシステムとは異なり、本発明のビンディングシステムは、衝撃のとき、またはビンディングシステム内で負荷または張力設定の閾値を超えた際に解除するように設計されている。この機能は、所望の仕様を満たすように滑走者によって事前設定することができる調整可能な張力解除システムによって可能になる。ビンディングシステム内の張力は、各爪先および踵プランジャに対して個別のばねおよび軸システムを使用して、爪先および踵プランジャのうちの少なくとも一方、好ましくは両方に事前設定される。現在の解除張力設定は、ベースアセンブリのボンネット内に形成される窓を通して見ることができ、その窓は、ベースアセンブリの内側で機能する機構を覆い、これらを雪および氷から保護し、一方で、爪先および踵プランジャがボンネットの外側に延在できるように成形および設計される。
【００１３】
爪先および踵プランジャが、滑走者によって指定された張力設定を超える力または圧力を受けた時に、ビンディングシステムが解除し、したがって、ビンディングがベースアセンブリから解除できるようにし、さらに重要なことに、滑走者の足が滑走ボードから解除できるようにする。これは、爪先プランジャおよび／または踵プランジャが、各爪先または踵プランジャの後ろの一連の解除レバー、カム、ならびにばねおよび軸アセンブリを強制することによって達成される。換言すれば、解除機構または解除手段は、各爪先および踵プランジャとともに動作可能な軸およびばねアセンブリによって作動する、これらの複数の構成要素から成る。
【００１４】
さらに、爪先および踵プランジャは、無数の解除角度を容易にするように特定の設計を備える。これは、少なくとも１つ、好ましくは複数の圧力面を爪先および踵プランジャ内に形成することによって達成される。圧力面は、好ましくは３５°〜４０°の圧力角で形成される。無数の解除角度を提供することで、ビンディングが、水平線から上向きに任意の角度でベースアセンブリから解除できるようにする。
【００１５】
解除手段は、急速解除設計をさらに備え得る。例示的な一実施形態では、解除手段は、ボンネットの側面の周囲に設置される、または配置される解除レバーを備え得る。レバーは、ハンドルまたはノブを備えてもよく、ユーザは、ユーザがビンディングを係脱できるようにするために、爪先プランジャに対して爪先レバーを変位させて、爪先プランジャをボンネット内に後退させるように、ハンドルを握り、レバーを作動させることができる。
【００１６】
調整手段は、急速解除設計も有し得、調整手段は、急速解除レバーの反対のボンネット側に設置される、または配置されるレバーを備える。レバーは、支持ディスクの全てまたは一部を解除可能に係合するように構成され得、それによって、任意のねじまたは他の同様の締結具を緩めることを必要とせずに、かつ工具の使用を必要とせずに、滑走者またはユーザによって所望される、滑走ボードの周囲で複数の異なるスタンス配向を容易にする。
【００１７】
本発明はさらに、滑走者を滑走ボードに固定するための方法を特徴とする。
【図面の簡単な説明】
【００１８】
本発明は、添付図面と関連させて取り込めば、以下の説明および添付の特許請求の範囲から、より完全に明らかになるであろう。これらの図面が単に本発明の例示的実施形態を示すものに過ぎないことを理解すれば、それらは本発明の範囲を限定するものと見なされない。本明細書の図面に概ね説明および示されている、本発明の構成要素は、多種多様の異なる構成で設置され、設計され得ることが容易に理解されるであろう。それにもかかわらず、本発明は、添付の図面の使用を通してさらなる特異性および詳細を伴って記述および説明することができるであろう。
【図１】図１は、本発明の例示的な一実施形態による、スノーボードに取り付けられる、または連結される２つのベースアセンブリを有し、ベースアセンブリは、スノーボードに対して異なるスタンス配向を含むように調整される、スノーボードの斜視図である。
【図２】図２は、張力解除ビンディングシステムが、ベースアセンブリに解除可能に連結するビンディングアセンブリを備える、本発明の例示的な一実施形態による、張力解除ビンディングシステムの斜視側面図である。
【図３】図３は、ベースアセンブリに連結されるビンディング、およびビンディングの頂面または装着面に動作可能に支持および連結されるフットプレートの斜視図である。
【図４】図４は、図２の例示的な張力解除ビンディングシステムの例示的なベースアセンブリの種々の構成要素部品の分解斜視図である。
【図５】図５は、図２の例示的な張力解除ビンディングシステムの例示的なベースアセンブリの上面図である。
【図６】図６は、滑走ボードに対するスタンス配向を変えるように、ビンディングシステム内に複数の調整位置を提供するために、支持ディスクに形成される対応する歯に係合するように構成されるロッキングレバーに形成される歯を見せるために、支持ディスクが部分的に切り取られた、図２の例示的な張力解除ビンディングシステムの例示的なベースアセンブリの斜視図である。
【図７】図７は、ベースアセンブリからのビンディングの手動および張力解除の両方を容易にするように構成される種々の解除構成要素が示される、図２の例示的な張力解除ビンディングシステムの例示的なベースアセンブリの底面図である。
【図８】図８は、デッキプレートが、ベースアセンブリの種々の構成要素を封入して支持するように取り付けられる、図２の例示的な張力解除ビンディングシステムの例示的なベースアセンブリの底面図である。
【図９−Ａ】図９−Ａは、踵プランジャが、それぞれが対応する圧力角を伴う複数の圧力面を備え、かつ図２の例示的なベースアセンブリとともに使用するために構成される、本発明の例示的な一実施形態による踵プランジャの斜視図である。
【図９−Ｂ】図9−Ｂは、長手方向の圧力面およびその対応する圧力角が示される、図９−Ａの踵プランジャの側面図である。
【図９−Ｃ】図９−Ｃは、対向する圧力面およびそれらの対応する圧力角が示される、図９−Ａの踵プランジャの上面図である。
【図１０】図１０は、本発明の例示的な一実施形態による、デッキパッドとともに動作可能なベースアセンブリの分解斜視図である。
【図１１】図１１は、調整および解除機構の種々の構成要素を示すために、そのデッキプレートを取り外した、例示的なベースアセンブリの後面図である。
【図１２】図１２は、解除レバーが完全に作動した位置にある、図１１のベースアセンブリを示す図である。
【図１３】図１３は、解除レバー内に形成される戻り止め保持システムを示す、図１１のベースアセンブリの部分斜視図である。
【図１４】図１４は、本発明の例示的な一実施形態による、ビンディングアセンブリの斜視図である。
【図１５】図１５は、図１４のビンディングアセンブリの側面図である。
【図１６】図１６は、図１４のビンディングアセンブリの正面図である。
【図１７】図１７は、図１４のビンディングアセンブリのビンディング構成要素の斜視図である。
【図１８】図１８は、図１４のビンディングアセンブリのビンディング構成要素の後面図である。
【図１９】図１９は、ビンディングアセンブリの構成要素をより良好に示すように、前方フットプレートを取り外した、図１４のビンディングアセンブリの部分斜視正面図である。
【図２０】図２０は、図１４のビンディングアセンブリの前方フットプレートの後面図である。
【図２１】図２１は、前方ストラップアセンブリをビンディング構成要素に連結することを容易にするために、ストラップ保持システムの一部として使用されるスロットを示す、図１４のビンディングアセンブリのビンディング構成要素の部分斜視図である。
【図２２】図２２は、ストラップをビンディング構成要素に連結するために使用される、例示的な保持システムの詳細な側面図である。
【図２３】図２３は、ビンディング構成要素と連結された時の、図２２のストラップおよび保持システムの詳細な正面図である。
【図２４】図２４は、図２２の保持システムのストラップおよびポスト構成要素の分解側面図である。
【発明を実施するための形態】
【００１９】
本発明の例示的実施形態の以下の詳細な説明は、本明細書の一部を形成し、実例として、本発明が実施され得る例示的実施形態が示される、添付図面について言及する。これらの例示の実施形態は、当業者が本発明を実施できるように十分詳細に説明されているが、他の実施形態を実現することが可能であり、かつ本発明の精神および範囲から逸脱することなく、本発明に種々の変更を行うことが可能であることを理解されたい。したがって、図１〜１４に表されているような、本発明の実施形態の以下のより詳細な説明は、特許請求の範囲に示されているように本発明の範囲を限定することを意図したものではなく、例示の目的のために表されているに過ぎず、本発明の特徴および性質を説明し、本発明の動作の最良の形態を記載し、当業者が十分に本発明を実施できるようにすることを限定するものではない。したがって、本発明の範囲は、添付の特許請求の範囲によってのみ定義される。
【００２０】
本発明の以下の詳細な説明および例示的実施形態は、本発明の要素および特徴が、全体を通して番号によって示される添付図面を参照することにより最良に理解されるであろう。
【００２１】
明確にするために、本明細書で言及される「滑走ボード」という語句は、滑走スポーツで使用するための、一般に知られているあらゆるタイプのボードまたはボード様のデバイスを意味するものと理解されたく、ボードまたはボード様のデバイスは、ボードをユーザの片足または両足に固定するためのビンディングアセンブリまたはビンディングシステムを利用する。滑走ボードの例には、雪上および水上スキー、スノーボード、ウェイクボード、および従来技術で既知の他のものが挙げられるが、これに限定されない。
【００２２】
本明細書で言及される「滑走スポーツ」という語句は、参加するために滑走ボードが必要であるか、または推奨される、あらゆるタイプのスポーツまたはレクリエーション活動を意味するものと理解されたい。滑走スポーツの例には、水上および雪上スキー、スノーボード、ウェイクボード、および従来技術で既知の他のものが挙げられるが、これらに限定されない。
【００２３】
本明細書で言及される「圧力面」という語句は、ビンディングをベースアセンブリの周囲で支持して、そこに固定する目的で、かつ、張力設定を超えた場合に、ビンディングのベースアセンブリからの張力解除の始動を容易にする目的で、ビンディングによって適用されるような、それに対する力または負荷を受容し、かつ耐えるように特別に設計されるビンディングシステムの構成要素のうちの１つ以上に形成される、１つ以上の表面を意味するものと理解されたい。
【００２４】
本明細書で言及される「圧力角」という語句は、圧力面が構成される角度を意味するものと理解されたい。
【００２５】
「解除角度」という語句は、本明細書で使用する場合、張力解除時にビンディングがベースアセンブリから解除する角度を意味するものと理解されたい。
【００２６】
本明細書で言及される「張力解除」という語句は、事前設定された、または所定の張力設定を超える圧力角への負荷に応答した、ベースアセンブリからのビンディングの始動された解除を意味し、負荷は、衝撃または過剰に適用された張力から引き起こされ得るものと理解されたい。
【００２７】
本明細書で言及される「張力設定」または「事前設定された張力設定」という語句は、ビンディングシステムの負荷ベアリング構成要素の圧力面に加えられ得る最大の許容可能な力または負荷を画定するためにユーザによって設定される、ビンディングシステムにおける事前設定された調整を意味するものと理解されたい。これは、代替的に張力閾値として定義され得る。
【００２８】
本発明は、多機能ビンディングシステムを介して、ユーザまたは滑走者を滑走ボードに固定する方法およびシステムを説明する。
【００２９】
本発明は、従来の関連するビンディングシステムに優る複数の重要な利点を提供し、そのうちのいくつかは、この項において、および以下のより詳細な説明の全体を通して詳述される。第１に、当該ビンディングシステムは、衝撃または他の過剰な力に応答してビンディングをベースアセンブリから解除できるようにする、ユーザが調整可能な張力解除能力を組み込む。従来の関連するビンディングシステムは、この面積が不足していたが、これは、当該ビンディングシステムがスノーボードに使用される場合にかなり有利である。さらに、張力解除の特徴は、異常な負荷を受けた場合、両足が解除可能になることによって滑走者に対する安全性を向上させる。第２に、当該ビンディングシステムは、急速解除を提供し、ユーザは、ベースアセンブリからビンディングを解除させるために、解除システムを容易に手動で作動させることができる。第３に、当該ビンディングシステムは、スノーボーダー、スキーヤー等の滑走者が、大部分の従来の関連するビンディングシステムに必要とされるような、ねじまたはその他の締結具を緩めることを必要とせずに、滑走ボードに対する各ビンディング、したがって各足のスタンス配向を容易に調整できるようにする調整手段を提供する。調整手段は、好ましくは、解除システムのための急速解除と同様の、急速解除機構によって作動される。第４に、当該ビンディングシステムは、無数の解除角度で張力解除をもたらすように、本明細書では踵および爪先プランジャとして説明される、プランジャまたはラッチの形態で特に設計される連結手段を利用する。各爪先および踵プランジャは、横方向および垂直方向の解除、ならびにこれらの種々の組み合わせを提供する、横方向および長手方向の両方の圧力面を備える。圧力面は、ベースアセンブリからのビンディングの解除を最適化するように構成される圧力角を提供するように、特定の角度で形成される。より具体的には、これらの圧力角は、ビンディングが突然ベースアセンブリから解除する前に、ビンディング上に最適の対抗抵抗（ｃｏｕｎｔｅｒ  ｒｅｓｉｓｔａｎｃｅ）を提供するように機能する。圧力角は、具体的には、３５〜４０度になるように構成される。この角度の範囲は、最適な解除を可能にするように確立されている。第５に、当該ビンディングシステムは、滑走者の足にビンディングを固定し、ビンディングをベースアセンブリの上に位置決めし、爪先および踵ピースをビンディング内の対応する受容部に係合させることによってビンディングをベースアセンブリに係合して連結させることによって、滑走者がビンディングシステムに「ステップイン」できるようにする。第６に、当該ベースアセンブリは、滑走者がてこの作用および高さを得ることができ、したがって、従来の関連するビンディングシステムに共通する２つの問題である踵および／もしくは爪先の抗力を低減または排除できるようにする、ライザ機能を提供する。第７に、当該ベースアセンブリは、互換性があるように設計されるが、それは、異なるタイプの滑走ボードに適用または使用され得、したがって、異なるタイプの滑走ボードにビンディングを連結できるようにすることを意味する。当該ビンディングシステムは、３つ穴および４つ穴���構成等の標準的な穴の装着構成を利用する。互換性の特徴は、滑走者が、単一のビンディングまたは少なくとも単一の方式のビンディングを、異なる滑走ボードのそれぞれに使用できるようにする。これは、ボードの間における慣れおよび相関性を増加させることができるので、１つ以上の滑走ボードを使用することをまさに習得しつつある者に対して特に有利になり得る。
【００３０】
上述の利点、ならびに本明細書に示されているあらゆる他の利点のそれぞれは、下述する詳細な説明に照らして添付の図面を参照することで明らかになるであろう。これらの利点は、いかなる形であれ、限定することを意味するものではない。実際に、当業者は、本発明を実施する際に、本明細書に具体的に記載されているもの以外の、他の利点が実現され得ることを認識するであろう。
【００３１】
図１を参照すると、本発明のビンディングシステムの例示の一実施形態を利用する、滑走ボードの斜視図が示されている。具体的には、図１は、スノーボードの形態の滑走ボード２を示している。スノーボードは、前方ベースアセンブリ６０−ａおよび後方ベースアセンブリ６０−ｂとして示される、前方ベースアセンブリおよび後方ベースアセンブリがその上に装着される、上側表面またはデッキ４を備える。ベースアセンブリ６０−ａおよび６０−ｂのそれぞれは、ビンディング（図示せず）、したがって、ユーザまたは滑走者のそれぞれの足を受容するように構成される（用語「滑走者」および「ユーザ」という用語は、全体を通して代替可能に使用される）。
【００３２】
図から分かるように、各ベースアセンブリ６０−ａおよび６０−ｂは、それぞれ支持ディスク６４−ａおよび６４−ｂとして示される中央の支持ディスクを介して、デッキ４に取り外し可能に装着される。中央の支持ディスク６４は、各ベースアセンブリ６０−ａおよび６０−ｂを、滑走ボード２のデッキ４に回転可能に固定または装着するように機能する。示されているように、各ベースアセンブリ６０−ａおよび６０−ｂは、滑走ボード２の長手軸６を基準とした任意の所望のスタンス配向を備えるように調整され得る。ベースアセンブリの調整性は、以下に詳細に論じる。それにもかかわらず、支持ディスク６４−ａおよび６４−ｂは、滑走ボード２のデッキ４に取り外し可能に装着されるが、回転するようには構成されないことに留意されたい。むしろ、これらは、支持ディスク６４の周りを回転するか、あるいはその周りで調整するように構成される各ベースアセンブリの種々の他の構成要素とともに、適所に装着される。
【００３３】
図２を参照すると、例示的な一実施形態による本発明のビンディングシステムの側面斜視図が示され、ビンディングアセンブリのビンディング構成要素は、ベースアセンブリの上に持ち上げられた位置に示されている。示されているように、ビンディングシステム１０は、上述のように、滑走ボードのデッキに取り外し可能に装着されるように構成される、ベースアセンブリ６０を備える。装着されると、ベースアセンブリ６０は、ブーツアセンブリ１８と、ビンディング３０とを備えるビンディングアセンブリ１４を受容するように構成される。ブーツアセンブリ１８は、ユーザの足を受容して固定するように構成され、かつ、当技術分野において既知のもの等の、１つ以上の締結構成とともに動作可能なブーツ構成を備える。ブーツアセンブリ１８は、ビンディング３０に連結するように構成され、ビンディング３０は、ベースアセンブリ６０および滑走ボードの周囲においてユーザの足を支持するようにブーツアセンブリ１８とともに機能する（図１を参照されたい）。
【００３４】
示されている例示的な実施形態では、ビンディング３０は、ユーザの足またはフットプレート（図３のフットプレート２８を参照されたい）を受容して支持するための上側表面（図示せず）および下側表面３６を有する、主支持プレート３２を備え、当該支持プレートは、ビンディング３０がそこに解除可能に連結される時に、それぞれがベースアセンブリ６０にある、ボンネット１２０の上側表面１２８、および支持ディスク６４の上部プレート６８に隣接して配置されるように構成される。以下に説明するように、ビンディング３０の主支持プレート３２の下側表面３６は、ボンネット１２０の上側表面１２８と接触してこれに対して載置されてもよく、または主支持プレート３２は、ボンネット１２０の上側表面１２８と接触してこれに対して載置されるように設計される、１つ以上の突出部を備えてもよい。
【００３５】
ビンディング３０は、ブーツアセンブリ１８を受容して固定する、または支持するように構成される、ブーツマウント５６も備える。示されている例示的な実施形態では、ブーツマウント５６は、主支持プレート３２の両側に設置され、そこから上向きに延在する前方および後方部分５７,５８を備える。前方および後方部分は、それぞれ、当技術分野において既知のあらゆる適切なタイプの締結具をその中に受容し、かつブーツアセンブリ１８のビンディング３０への装着を容易にするように構成される、１つ以上の装着穴５９を備える。ブーツマウント５６は、ユーザの足に固定されるブーツに含まれるような、ユーザの足の横方向の支持を提供または補助するようにさらに機能する。ブーツマウント５６の特定の寸法および幾何学的構成は、図２に示されているものに限定されることを意図していない。
【００３６】
ビンディング３０は、主支持プレート３２の前方に設置され、そこから延在する爪先支持部または爪先ピース４０をさらに備える。爪先ピース４０は、ベースアセンブリ６０のボンネット１２０の前方部分または前方表面１５６の幾何学的構成に一致する、幾何学的構成を備える。より具体的には、爪先ピース４０は、内面４２および外面４３によって構成され、内面４２は、ボンネット１２０の外側前方表面１５６に係合するように設計および構成され、ボンネット１２０の前方表面１５６は、爪先ピース４０およびビンディング３０に支持を提供する。爪先ピース４０は、その内面４２の中に形成される、受容部４４をさらに備える。受容部４４は、ベースアセンブリ６０の爪先プランジャ２８０を受容または係合し、かつ解除可能に固定するように寸法設定および構成され、したがって、ビンディング３０をベースアセンブリ６０に解除可能に連結する。爪先プランジャ２８０は、事前設定された張力設定を備え、それは、ビンディング３０に対して作用する反力を提供する。したがって、受容部４４は、爪先プランジャ２８０の一部分がその中に挿入されるものと同様な幾何学的構成を備える。
【００３７】
同様に、ビンディング３０は、主支持プレート３２の後方部分に設置され、かつそこから延在する、踵支持部または踵ピース４６をさらに備える。踵ピース４６は、ベースアセンブリ６０のボンネット１２０の後方部分または後方表面１６４の幾何学的構成に一致する、幾何学的構成を有する。より具体的には、踵ピース４６は、内面４７および外面４８によって構成され、内面４７は、ボンネット１２０の外側後方表面１６４に係合するように設計および構成され、ボンネット１２０の後方表面１６４は、踵ピース４６およびビンディング３０に支持を提供する。踵ピース４６は、その内面４７の中に形成される、受容部５０をさらに備える。受容部５０は、ベースアセンブリ６０の踵プランジャ３１０を受容または係合し、かつ解除可能に固定するように寸法設定および構成され、したがって、ビンディング３０をベースアセンブリ６０に解除可能に連結する。踵プランジャ３１０は、爪先プランジャ２８０と同様に、事前設定された張力設定を備えるが、それは、ビンディング３０に対して作用する反力を提供する。したがって、受容部５０は、踵プランジャ３１０の一部分がその中に挿入されるような幾何学的構成を備える。それらの構成により、爪先ピースまたは爪先支持部４０、および踵ピースまたは踵支持部４６は、ベースアセンブリ６０の周囲においてビンディング３０に対して横方向および長手方向のどちらの支持も提供する、連結手段として機能する。
【００３８】
「爪先プランジャ」および「踵プランジャ」という用語は、本明細書では、区別および説明するために使用されているに過ぎないことに留意されたい。例えば、これらの２つの構造は、全ての点で同様であり得る。ビンディングシステムのベースアセンブリは、前方および後方部分を備えない場合があるが、いずれかの端が前方または後方を備え得るように配向され得る。換言すると、ビンディングの前方は、ベースアセンブリの端がいずれかの方向に面する、ベースアセンブリに装着できる。
【００３９】
ビンディング３０は、それぞれ、下記に論じられ、図３に示されるように、ビンディング３０の上側表面へのフットプレートの取り付けを容易にするように設計される、前方スロット４５および後方スロット４９をさらに備える。加えて、ビンディング３０は、それぞれ、ベースアセンブリ６０の調整機構２１０および解除機構２４０、またはそれらの構成部品のうちのいずれかの変位または作動を中断することなく、ビンディング３０をベースアセンブリ３０に連結できるようにする、ビンディング３０の両側に設置される、横方向スロット５２および５４を備える。横方向スロット５２および５４は、それぞれ、爪先ピース４０および踵ピース４６の縁部、ならびに主支持プレート３２の下側表面３６の縁部によって画定される。
【００４０】
図２は、組み立てた状態のベースアセンブリ６０も示している。ベースアセンブリ６０は、必須ではないが、部分的に、好ましくはベースアセンブリ６０内の中央に設置される、支持ディスク６４を備える。支持ディスク６４は、外周部７２を有する上部プレート６８と、下部本体部分（図示されないが、図４の下部本体部分７６を参照されたい）とを備える。支持ディスク６４は、滑走ボードのデッキに取り外し可能に固定されるように設計および構成される（図２には示されないが、図１のデッキ４および滑走ボード２を参照されたい）。このように、支持ディスク６４は、１つ以上の装着穴構成を備える。示されている例示的な実施形態では、支持ディスク６４は、そのそれぞれが当技術分野で標準であり、そのそれぞれが、ビンディングシステム１０がともに使用される滑走ボードのタイプに応じて使用され得る、４つ穴の装着構成に適応することもできる、７つ穴の装着構成９２を備える。当業者は、支持ディスク６４が、あらゆるタイプの装着構成を使用して滑走ボードのデッキに固定され得ることを認識するであろう。このように、本明細書に示されているものは、例示的なものに過ぎず、本発明の範囲を限定することを意図していない。
【００４１】
支持ディスク６４はさらに、ベースアセンブリ６０内で回転可能に支持されるように設計および構成される。より正確には、ベースアセンブリ６０は、支持ディスクが滑走ボードのデッキに取り外し可能に固定されるので、支持ディスク６４の周りで回転可能になるように設計されている。ベースアセンブリ６０の構成要素は、ベースアセンブリ６０、したがって、そこに連結されるビンディング、およびビンディングに固定される滑走者が、滑走ボードに対して複数の異なるスタンス配向を達成できるように、支持ディスク６４の周りで回転する。
【００４２】
図２は、ベースアセンブリ６０の種々の内部構成要素および機構を収容するように構成されるボンネット１２０をさらに備える、ベースアセンブリ６０を示している。示されているように、ボンネット１２０は、上側表面１２８および下側表面（図示せず）を有する、上部の頂部支持プレート１２４を備える。上側表面１２８は実質的に平面であり、ベースアセンブリ６０に連結された時に、ビンディング３０の実質的に平面である下側表面３６をその上に受容して支持するように設計および構成される。本質的には、ボンネット１２０は、ビンディング３０に対するライザとして機能し、したがって、ビンディングシステムの高さおよびてこの作用を増加させ、爪先および／もしくは踵の抗力を低減または排除することに役立つ。支持ディスク６４をその中に受容するように、ならびに支持ディスク６４を回転可能に支持するように寸法設定および構成される開口（図２には示されないが、図４の開口１３６を参照されたい）が、ボンネット１２０の頂部支持プレート１２４内に形成され、したがって、ビンディングシステム１０が、滑走ボードに対して異なるスタンス配向を達成するように、支持ディスク６４の周囲でのベースアセンブリ６０の調整を容易にする。支持ディスク６４は、ボンネット１２０を滑走ボードに固定するためにレッジ（図示されないが、図４のレッジ１４８を参照されたい）に係合する、リップ（同じく図示されないが、図４のリップ８４を参照されたい）を備える。
【００４３】
上記に示されているように、ボンネット１２０は、それぞれ、ビンディング３０の一致する爪先ピース４０および踵ピース４６をその上に受容して支持するように設計される、前方表面１５６と、後方表面１６４とをさらに備える。前方表面１５６は、爪先プランジャ２８０がボンネット１２０の前方表面１５６を過ぎてベースアセンブリ６０の内側から外側に延在でき、かつその中を前後に双方向に移動できるように構成される、スロット１６０をその中に形成する。同様に、後方表面１６４は、踵プランジャ３１０がボンネット１２０の後方表面１６４を過ぎてベースアセンブリ６０の内側から外側に延在し、かつその中で前後に双方向で変位することを可能にするように構成される、スロット１６８をその中に形成する。
【００４４】
ボンネット１２０は、第１の側部（図示されないが、図４および５の第１の側部１８８を参照されたい）と、第２の側部１９２をさらに備え、それぞれが頂部支持プレート１２４から下向きに延在する。示されているように、第２の側部１９２は、調整機構２１０、および特に調整機構２１０のロッキングレバー２１４を、意図されるよう変位および作動させることができるように、その中に形成される横方向スロット２００を備える。第１の側部は、その中に形成され、解除機構２４０、および特に解除レバー２４４を、意図されるよう変位および作動させることができるように寸法設定および構成される、同様の横方向スロット（図４および５の第１の側部１８８および横方向スロット１９６を参照されたい）も備える。
【００４５】
ボンネット１２０は、解除機構２４０によって踵プランジャ３１０に加えられる負荷に対応する事前設定された張力設定の指示器として機能する、ドグ４２８に表示を提供するように構成される、第１の窓１７２をその中にさらに備える。種々の表示は、ドグ４２８の位置によって決定される利用可能な張力設定の範囲に対応する、ボンネット１２０の上側表面１２８上に提供され得る。表示は、利用可能な張力設定の範囲、ならびに現在の張力設定をユーザに視覚的に示す、マーキングであってもよい。窓１７２は、支持プレート１２４内に形成される開口を備える。ボンネット１２０は、解除機構２４０によって爪先プランジャ２８０に加えられる負荷に対応する事前設定された張力設定の指示器として機能する、ドグ４４８に表示を提供するように構成される、第２の窓１７６をさらに備える。
【００４６】
図２および３はさらに、ボンネット１２０の下に設置され、これを封入するデッキプレート１００、およびその中で支持され、かつ動作可能である構成要素を示している。本明細書に論じられているように、デッキプレート１００は、滑走ボードのデッキに隣接して、それに載置されるように設計および構成される。デッキプレート１００は、１つ以上のパムナット（ｐｅｍ  ｎｕｔ）（図４のパムナット４６０を参照されたい）を有して形成されるが、これは、デッキプレート１００内にインサート成形、あるいはこれに固定されてもよい。デッキプレート１００は、デッキプレート１００と滑走ボードのデッキとの間に設置され、かつ配置されるように意図される、１つ以上の対応するナブ、またはデッキパッド上に形成される他の突出部（例えば、ガスケット）を受容するための、その中に形成される１つ以上の開口をさらに備え得、ナブまたは突出部は、デッキパッドを適所に保持することに役立つ。デッキパッドの詳細は、以下に論じる。開口の代わりに、デッキプレート１００は、ガスケットと動作可能に相互作用してこれを固定する、他の手段を備えてもよい。
【００４７】
図３を参照すると、図２に示されている例示的なビンディングシステム１０の斜視図が示され、例示的なビンディング３０および例示的なベースアセンブリ６０が連結された構成で示されている。図３はさらに、ビンディング３０の主支持プレート３２の上部装着面３４に動作可能に支持および連結される、フットプレート２８を示している。フットプレート２８は、ブーツを着用している（例えば、スノーボードの場合）か、またはブーツを着用していない（例えば、ウェイクボードの場合）ユーザの足により良好に適応できるように、ビンディング３０の表面積を増加させるように機能する。フットプレート２８は、適切な場合に、任意の寸法および形状を含み得、かつユーザの足に対応する１つ以上の輪郭を備え得る。フットプレート２８は、選択的であり、かつ選択的に取り外され得る。図３は、別個の構造を備えるものとしてフットプレート２８を示しているが、フットプレート２８は、ビンディング３０と一体的に形成され得る。
【００４８】
図２および４〜８を参照すると、例示的なビンディングシステム１０の例示的なベースアセンブリ６０の種々の図が示されている。図から分かるように、ベースアセンブリ６０は、示されているように、上部プレート６８と、上部プレート６８の外辺部７２と、上部プレート６８から延在する下部本体部分７６とを有する、支持ディスク６４を備える。下部本体部分７６は、ベースアセンブリ６０を、滑走ボードに対して複数の利用可能なスタンス配向のうちのいずれか１つに選択的に位置決めするための調整機構内に、１つ以上の構成要素を受容するように構成される、側壁８０を備える。示されているように、側壁８０は、その中に形成され、かつ複数の利用可能なスタンス配向を達成して画定するように、ロッキングレバー２１４とともに動作して、固定支持ディスク６４の周囲でのボンネット１２０およびその中で支持される構成要素の選択的な回転を容易にするように構成される、複数の歯８８を備える。さらに、上部プレート６８および下部本体部分７６は、それらの交差部分にリップ８４を形成する。リップ８４は、ボンネット１２０に形成される対応するレッジ１４８に係合するように構成され、それによって、ボンネット１２０および種々の構成要素を滑走ボードに固定する。したがって、ボンネット１２０およびベースアセンブリ６０全体は、支持ディスク６４の取り外しの際にだけ、滑走ボードから取り外され得る。リップ８４および対応するレッジ１４８は、相互に周りを回転するように機能し、したがって、ベースアセンブリ６０のスタンス配向の調整が所望される場合に、支持ディスク６４に対するボンネット１２０の回転を容易にする。支持ディスクは、３つ穴装着パターン９２および４つ穴装着パターン９６として示される、穴装着パターンをさらに備える。
【００４９】
ベースアセンブリ６０を滑走ボードに装着するためには、取り付けたデッキプレート１００を有するボンネット１２０を、滑走ボード内に形成される装着穴の周囲の場所で、滑走ボードのデッキ上に位置決めする。ボンネット１２０およびデッキプレート１００が適所にある状態になると、支持ディスク６４は、滑走ボードのデッキの上に置かれるまで、それぞれ、ボンネット１２０およびデッキプレート１００の中に形成される開口１３６および１１２内に挿入され、次いで、滑走ボードおよび支持ディスク６４内の装着穴を介して、滑走ボードに連結される。デッキプレート１００は、上側表面１０４および下側表面１０８を備え、かつベースアセンブリ６０内の構成要素および機構のうちの多数のための支持部材として機能し、ならびにこれらを収納するように構成される。デッキプレート１００は、調整機構２１０および解除機構２４０等の種々のベースアセンブリ構成要素の（例えば、パムナットを介した）装着を容易にするようにその中に形成される、複数の装着穴１１６を有する。
【００５０】
調整機構２１０は、枢動点２２６の周囲を回転可能または枢動可能に連結され、かつボンネット１２０とともに動作可能なパムナットとともに動作可能な締結具によって適所に固定される、付勢ロッキングレバー２１４を備える。ロッキングレバー２１４は、調整機構２１０を作動させる際に、ユーザとの人間工学的なインターフェースを提供するように設計される、ハンドルまたはノブ２１８をさらに備える。示されている実施形態では、調整機構２１０は、支持ディスク６４内に形成される対応する歯８８に係合するように構成される、ロッキングレバー２１４内に形成される一連の、またはラックの歯２２２を備える。ばね２３０は、ロッキングレバー２１４およびラックの歯８８を、支持ディスク６４に対して、係合される位置の方へ付勢するように機能する。ボンネット１２０は、開口１３６を画定する側壁１４４を備える。側壁１４４内には、ラックの歯２２２を支持するロッキングレバー２１４の一部分が、そこを通して支持ディスク６４に係合するように通過し得る開口部を提供するように構成される、スロット１５２がある。ロッキングレバー２１４は、ばね２３０によって付勢されるように示され、高負荷ベアリングばねを備える。ばね２３０は、好ましくは、支持ディスク６４に対してロッキングレバー２１４を強制する、または付勢する時に、支点および機械的拡大率を十分に利用する位置で、ボンネット１２０内で支持される。
【００５１】
調整機構２１０が係合した位置にある場合、デッキプレート１００、ボンネット１２０、およびその中に収容される構成要素は、支持ディスク６４の周りを回転することを妨げられる。滑走ボードに対するベースアセンブリ６０のスタンス配向を調整するためには、ユーザは、ばね２３０によって適用される抗力を克服するように、単に、ハンドル２１８を握り、ロッキングレバー２１４を変位させることによって調整機構２１０を作動させるだけである。変位の際に、ロッキングレバー２１４上のラックの歯８８は、支持ディスク６４上の歯２２２から係脱し、それによって、ボンネット１２０が支持ディスク６０の周りを回転できるようにする。したがって、ベースアセンブリ６０は、滑走ボードに対するベースアセンブリ６０、ビンディング３０、および最終的にはユーザの、異なるスタンス配向をもたらす、任意の数の調整位置に配置され得る。実際に、示されているような実施形態等では、支持ディスク６４の側壁８０の全体にわたる歯２２２を提供することによって、３６０°の回転範囲の任意のスタンス配向が達成され得る。調整機構２１０は、急速解除システムとしてさらに構成され、ユーザは、ビンディングを解除することを必要とせずに、いつでも迅速かつ容易にスタンス配向を変更させることができる。
【００５２】
滑走ボードに対してオンザフライまたはオンザゴーで変えられるスタンス配向を容易にするように、これらの構成要素を相互に一時的に係脱するという要望に加えて、支持ディスクおよび滑走ボードの周囲で、ベースアセンブリ（ボンネット、デッキプレート、および内部構成要素）を回転可能に固定するように、ロッキングレバー２１４と支持ディスク６４との物理的な係合関係には、相当な注意を払った。具体的には、ロッキングレバー２１４および支持ディスク６４のそれぞれの歯の構成に、相当な注意を払った。異なる実施形態が、異なる歯の構成を備え得ることが考慮されるが、好ましくは、それぞれが、ボンネット１２０上またはその中で作用する回転力の存在下での滑りおよびラチェティングを最小化する歯の構成を備える。示されているように、ロッキングレバー２１４および支持ディスク６４のそれぞれのための歯の構成は、ギアリングのための標準的な歯の角度を超える偏向角の増加を有する、英国式バットレスまたはバットレスタイプの設計を備え、これは、インボリュート曲線に沿って１４．５度に基づく。いずれの場合においても、歯の角度または偏向角は、ロッキングレバー２１４と支持ディスク６４との関係を最適化するように、特定の設計または実施形態によって必要とされる、いかなるものであってもよい。加えて、歯の構成は、非直線または湾曲した表面、ならびに面とランドとの間にフィレットまたは半径を有する歯を備えてもよい。当業者は、多数の異なるタイプのギアリングおよび歯の構成が使用され得、これらのそれぞれが、本明細書で考慮されていることを認識されるであろう。
【００５３】
他のタイプの調整機構が本明細書内で考慮されるが、これらは具体的には説明されない。例えば、支持ディスクの下位部分は、滑らかな側壁を備え得る。調整機構は、無数の調整位置および結果として生じるスタンス配向で側壁に締着するいくつかのタイプの締め具を備え得る。さらに別の実施形態では、側壁は、特定の調整位置および結果として生じるスタンス配向を達成するように調整機構のロッキングレバーに形成される、対応するペグまたはインサートを受容するように構成される、その中に形成される複数の開口を備え得る。
【００５４】
解除機構２４０は、その中に形成されるカム部２４６を有する解除レバー２４４を備え、解除レバー２４４は、枢動点の周りを回転可能または枢動可能に連結され、かつボンネット１２０内で支持されるパムナットとともに動作可能な締結具を介して、適所に固定される。解除レバー２４４は、解除機構２４０を手動で作動させる際に、ユーザとの人間工学的なインターフェースを提供するように設計される、ハンドルまたはノブ２４８をさらに備える。解除レバー２４４は、ユーザが、ベースアセンブリ６０からビンディング３０を解除、したがって、滑走ボードからユーザの足を解除するために、解除機構２４０を手動で作動させることを可能にする。この手動による解除機能は、以下に説明される。
【００５５】
示されている実施形態では、解除機構２４０は、爪先プランジャ２８０とともに動作可能な第１のプランジャレバー４１２と、踵プランジャ３１０とともに動作可能な第２のプランジャレバー４１６とを備える。第１のプランジャレバー４１２および第２のプランジャレバー４１６のそれぞれは、複合動作を提供するように構成される、複動式レバーである。
【００５６】
第１のプランジャレバー４１２および第２のプランジャレバー４１６は、それぞれ、解除機構２４０の動作中に、１つの縁部に沿って、それぞれの爪先プランジャ２８０および踵プランジャ３１０の直線レッジ（図９−Ａおよび９−Ｂの直線レッジ３２６を参照されたい）に係合して、それと相互作用する、湾曲した表面を有する。動作中、第１のプランジャレバー４１２および第２のプランジャレバー４１６は、それぞれ、ばね４３２および４５２によって提供されるときに、爪先プランジャ２８０および踵プランジャ３１０に力を及ぼす。換言すれば、解除レバー２４４が後退して動作可能ではない場合、ばねは、プランジャレバーを付勢するように機能し、ビンディングをベースアセンブリに固定するように、ばねに爪先および踵プランジャを動作位置内で外側に強制させる。爪先プランジャ２８０および踵プランジャ３１０はまた、それぞれ、そこから突出するそれぞれのナブまたはポスト（図４のポスト３１２を参照されたい）を介して、第１のプランジャレバー４１２および第２のプランジャレバー４１６に連結される。ナブまたはポストは、第１のプランジャレバー４１２および第２のプランジャレバー４１６に係合するか、またはその中に形成される対応する非同心の開口（図４の開口４１８を参照されたい）内に設置されるように構成され、したがって、それぞれ、プランジャレバー４１２および４１６と、爪先および踵プランジャとの間に、限定された程度の滑りを提供する。
【００５７】
第１のプランジャレバー４１２および第２のプランジャレバー４１６の両側の縁に沿って、ボンネット１２０の端の内面構成に対応する表面構成があり、したがって、解除機構が、爪先および踵プランジャを完全伸長位置に設置するように構成される時に（この構成は、図７に示す）、第１のプランジャレバー４１２および第２のプランジャレバー４１６を、それぞれその中に入れ子にできるようにする。第１のプランジャレバー４１２は、一方の端において解除カム２５２によって動作可能に支持され、かつ他方の端においてばね４５２によって付勢される。第１のプランジャレバー４１２は、好ましくは、その端に沿って、カム２５２とともに動作可能な対向する半径を備え、その端は、解除レバー２４４の手動作動の際に、レバー４１２の支点になり、半径は、ボンネット１２０の内側に沿って形成される内径に相応する。レバー４１２の半径の機能は、カム２５２によって手動で作動される時に、レバー４１２の枢動点を作成することである。より具体的には、半径は、ボンネット１２０内に形成される半径との適切な入れ子の関係を提供し、ボンネット１２０内でのレバー４１２の適切かつ望ましい枢動を容易にする。一方で、第２のプランジャレバー４１６は、一方の端においてボンネット１２０に枢動可能に連結され、かつ他方においてばね４３２によって付勢され、第２のプランジャレバー４１６は、枢動点４１７の周りを枢動する。
【００５８】
第１のプランジャレバー４１２および第２のプランジャレバー４１６が、爪先プランジャ２８０および踵プランジャ３１０に付勢するように動作することで、本発明のビンディングシステムは、有利な解除機能を提供する。具体的には、解除機構２４０は、張力解除をさらに提供し、ビンディング３０は、ユーザによって設定される事前設定された張力設定を超える際に、ベースアセンブリ６０から解除する。示されている例示的な解除機構の一部として、軸４２０が、ボンネット１２０の底面に形成されるスロット１３４内に含まれる。軸４２０は、軸ジャーナル４２４、ドグ４２８、ばね４３２、およびボタン４３６を支持し、それぞれ、一緒に動作してプランジャレバー４１６を外向きに強制し、その結果、ビンディング３０内に形成される踵支持部４６の内面に対して、踵プランジャ３１０を強制する。軸４２０は、ねじ付きであり、ばね４３２は、肩部に対して支持される。事前設定された張力を超えて踵プランジャ３１０に作用する任意の力は、ベースアセンブリ６０からビンディング３０を解除するよう、解除機構２４０を始動させるように機能する。より具体的には、事前設定された張力を超えて作用する任意の力は、プランジャレバー４１６に、ばね４３２を変位および圧縮するように、プランジャレバー４１６に隣接するボタン４３６を強制させ、踵プランジャ３１０を、ボンネットの方へ内向きに十分に後退させることができるようにして、ビンディング３０が、ベースアセンブリ６０から解除できるようにする。
【００５９】
図に示されているように、解除機構２４０は、ユーザが、ビンディングシステムの事前設定された張力設定を選択的に調整することを可能にする。一例として、踵プランジャ３１０とともに動作可能な解除機構の構成要素を使用する、示されている例示的な実施形態では、軸４２０は、ギアリングシステムを備え、軸４２０が回転する際に、ばね４３２における圧縮を変動させるために、双方向の様態で、ドグ４２８を軸４２０の周囲で変位させる。ばね４３２における圧縮が変動すると、対応する張力設定、または解除機構の事前設定された張力設定の変動をもたらす。換言すれば、解除機構内の解除張力は、利用可能な張力設定の範囲内で任意の望ましい設定に設定され得、したがって、ビンディングシステムが、異なる寸法および滑走能力のユーザに適応できるようにする。軸４２０を回転させることで、ドグ４２８にばね４３２を圧縮させ、張力設定を増加させる。軸４２０を反対方向へ回転させることで、張力を低減させる。ドグ４２８は、現在の事前設定された張力設定をユーザに視覚的に示すために、ボンネット１２０内に形成される窓を通して可視化させられてもよい。
【００６０】
ばね４３２は、好ましくは、踵プランジャ３１０への外向きの付勢を保つために、ならびに利用可能な事前設定された張力設定の数をより適切な範囲に限定するために、ある量の事前負荷を有するｚｉｎ軸４２０の周囲で支持される。ばね４３２を事前に圧縮することによって、ゼロの負荷張力設定で始まる負荷設定をユーザにダイヤルインさせることを必要とせずに、そのタイプのユーザを表す、より適切な低い事前設定された張力設定が定義または達成され得る。加えて、ばね４３２を事前に圧縮することによって、利用可能な張力設定の全範囲を調べるために必要とされる軸４２０を回転させる数が、より扱いやすく現実的な数に低減され得る。例えば、ばね４３２は、ジュニア（例えば、約７５ポンド（約３４ｋｇ））または初心者のユーザを適切に解除する下限の張力設定を定義し、一方で、軸４２０を２〜３回転させるだけで最も高い張力設定を達成するように、事前負荷を備え得る。
【００６１】
ｚｉｎ軸４２０は、より直観的な張力設定の調整を行うように、左ねじ山の構成を備えてもよい。このような構成の場合、軸４２０を時計回り方向に回転させると、左ねじ山は、ドグ４２８を下向きに駆動し、したがって、ばね４３２をさらに圧縮して、張力設定を増加させる。軸４２０を反時計回りに回転させることで、張力設定を減少させる。
【００６２】
解除機構は、張力設定を限定するための手段をさらに備えてもよい。例えば、保持リングは、軸４２０の周囲で支持され得、ドグ４２８の行程を限定し、したがって、ユーザが、所定の限度を超えて張力設定を調整することを防止する。
【００６３】
具体的には論じていないが、同じ張力解除の特徴が、爪先プランジャ２８０に提供されてもよい。示されているように、爪先プランジャ２８０は、それぞれが上述したものに類似する、ｚｉｎ軸４４０、軸ジャーナル４４４、ドグ４４８、およびボタン４５６とともに動作し、そのそれぞれが、選択的な事前設定された張力設定と、爪先プランジャ２８０を介したベースアセンブリ６０からのビンディング３０の張力解除とを提供するように、第１のプランジャレバー４１２と一緒に機能する。
【００６４】
解除機構２４０は、解除レバー２４４と同じ枢動点の周りを回転可能である、解除カム２５２をさらに備える。解除カム２５２は、第１のプランジャレバー４１２内に形成されるカム軌道４１４内に含まれるカム部分２５４を備える。解除レバー２４４の変位または作動、およびそれに続く解除機構２４０の作動の際に、解除カム２５２が回転させられ、カム部分２５４は、カム軌道４１４に沿って追随する。この作用は、爪先プランジャ２８０のその後の後退をもたらすために、第１のプランジャレバー４１２を変位または後退させるように機能し、それによって、ビンディング３０が、ベースアセンブリ６０から解除できるようにする。具体的には、所望の瞬間にベースアセンブリ６０からビンディング３０を解除するために、ユーザは、単に、解除レバー２４４のハンドルまたはノブ２４８を握り、解除レバー２４４をその枢動点の周りを回転または枢動させるだけである。プランジャレバー４１２のカム軌道４１４内をカム部分２５４に追随させるためには、ユーザによって一定量の力が及ぼされる必要がある。しかしながら、下記に説明するように、必要とされる力の量は、張力設定を克服するために必要とされる力よりも少ない。解除レバー２４４のカム部分２５４に、プランジャレバー４１２のカム軌道４１４内を追随させることで、プランジャレバー４１２を内向きに引き出すように機能する。そして、爪先プランジャ２８０が（上述のポスト３１２および開口４１８の係合に類似する、ポストおよび開口の係合を介して）プランジャレバー４１２に連結されると、プランジャレバー４１２は、続いて、爪先プランジャ２８０を内向きに、かつビンディング３０内に形成される受容部４４から引っ張り、したがって、ベースアセンブリ６０からビンディング３０を解除できるようにする。
【００６５】
この特定の例示的実施形態では、解除レバー２４４および解除機構２４０の手動作動は、ユーザが、ベースアセンブリ６０からビンディング３０を解除するために、張力設定を克服すること、およびプランジャレバー４１２に作用するばね４５２をさらに圧縮することを必要としないことに留意されたい。むしろ、プランジャレバー４１２は、ボンネット１２０内の半径に相応する、レバー４１２内に形成される半径により、ボンネット１２０内を枢動するように構成されるように、複動式である。レバー４１２の半径上の端は、ボンネット１２０と実質的に入れ子の関係で保持され、したがって、ばね、ボタン４５６、およびｚｉｎ軸４４０がレバー４１２に付勢する結果として、レバー４１２の支点となる。レバー４１２は、手動による解除機能（ユーザは、解除レバーを手動で作動させて、爪先プランジャを後退させる）の間、ボタン４５６と相互作用し、ならびに力始動解除機能（爪先プランジャは、爪先プランジャに作用する好適な負荷に応答して、後退させるように付勢され、張力設定を克服する）の間、カム部分２５２の周囲で相互作用する。
【００６６】
第１のプランジャレバー４１２へのトグル作用は、２：１の比率での移動を含み、これは、ばね４３２の長さおよびばね定数を低減させることができるようになり、したがって、解除機構内の応力を低減する。以下に論じるように、第１のプランジャレバー４１２は、解除レバー２４４のカム部分２４６が、解除レバー２４４を手動で作動させる際に、その反対端から第１のプランジャレバー４１２をトグルできるようにすることによって、さらなる運動を組み込む。第２のプランジャレバー４１６は、同じ２：１の比率での移動を含むが、解除レバー２４４によって追加的に手動でトグルされるように構成されていない。
【００６７】
ベースアセンブリ６０は、ベースアセンブリ６０によって支持される種々の機構の適切な動作を容易にするように、後方スペーサ４００、前方スペーサ４０４、および間隙スペーサ４０８等の種々のスペーサをさらに備える。
【００６８】
図９−Ａ〜９−Ｃを参照すると、本発明の例示的な一実施形態による踵プランジャの種々の図が示されており、踵プランジャは、それぞれが対応する圧力角を備え、それぞれが複数の圧力面を有し、かつ図２の例示的なベースアセンブリ内での使用のために構成される。具体的には、示されているように、踵プランジャ３１０は、上側表面３１４と、下側表面３１８と、レッジ３２６を形成するように上側表面３１４から延在するライザ３２２とを備える。ライザ３２２自体は、上側表面３３０と、前方表面３３４とを備える。ライザ３２２は、第１の長手方向圧力面３３８、第２の長手方向圧力面３４０、第１の横方向圧力面３４４、および第２の横方向圧力面３４８として示され、それぞれがそれ自体の対応する圧力角を伴う、複数の圧力面をさらに備える。
【００６９】
図９−Ｂは、第１の長手方向圧力面３３８および第２の長手方向圧力面３４０を示す。第１の長手方向圧力面３３８は、圧力角β１を備える。第２の長手方向圧力面３４０は、圧力角β２を備える。同様に、図９−Ｃは、第１の横方向圧力面３４４および第２の横方向圧力面３４８を示す。第１の横方向圧力面３４４は、圧力角β１を備える。第２の横方向圧力面３４８は、圧力角β２を備える。
【００７０】
圧力面は、具体的には、ベースアセンブリからのビンディングの最適な張力解除を提供するように定められた角度である、３５度〜４０度の圧力角を備えるように構成される。より具体的には、これらの角度は、ビンディングが突然ベースアセンブリから解除する前に、ビンディング上に最適の対抗抵抗を提供するように機能する。加えて、従来の関連するビンディングシステムに見られるものとは異なり、いかなるトグル機構も存在しないので、圧力面は、ビンディングが無数の解除角度で解除することを可能にするように構成される。
【００７１】
３５°を下回る角度（例えば、３０°）等のより鋭い圧力角は、カムを外してしまうので不適切である。したがって、より鋭い角度は、ビンディングの十分な解除をもたらさない。４０°を上回る角度（例えば、４５°）等のより緩やかな角度は、ビンディングを緩み過ぎた状態のままにし、かつビンディングおよび滑走者をベースアセンブリおよび滑走ボードの周囲で十分に支持しない。３５度〜４０度の角度を提供することで、適切な圧力に到達させ、かつビンディングの解除前にこれを超えないようにすることができる。実際に、ビンディングは、ビンディングおよびブーツ、したがって滑走者を、解除することなく滑走ボード上に保持するように、ある程度の圧力および力を支持できなければならない。しかし、大き過ぎる圧力および力を支持すると、ビンディングは解除せず、したがって、潜在的に滑走者を負傷させることになる。したがって、許容可能な使用圧力と、ビンディングが解除すべき圧力との間でバランスを取らなければならない。
【００７２】
一般的なカムでは、一般的に、２５度〜３０度の圧力角が最大であると考えられているが、構成によっては、これらは望ましくないものとなり得る。圧力角が鋭過ぎる場合、ベースアセンブリからのビンディングの解除は、滑らかで、予測可能であり、かつ一様なものとなり得、ユーザに柔らかい感覚を与え、または、ユーザに、解除または分離前に機構がそれ自体からゆっくり離れるように感じさせ、不確実な感覚をもたらし得る。３５度〜４０度の圧力角では、初期の「カム作用」圧力が大き過ぎるために、カムの解除作用が遅れる。したがって、十分な圧力が適用される時に、解除前に生じる事前に予測可能な「カム作用」移動を伴わずに、解除するための「蓄積」が達成され得る。換言すれば、圧力は、全体として解除機構に適用され、解除張力が、解除機構のばねの張力設定に一致するまさにその瞬間まで生じる、解除構成要素のいかなる移動または歪曲も伴わない。したがって、ビンディングは、滑らかな解除ではなく、ベースアセンブリからはじき出される傾向があり、ユーザに信頼感を与える所望の効果である。
【００７３】
示されている踵／爪先３１０では、３つの圧力面および結果として生じる圧力角は、従来の関連するビンディングでの３つのトグルと同じ様態で機能する。しかしながら、３つの圧力角を達成するために３つの別個の機構を必要とするのでなく、各圧力角が、単一の機構である踵プランジャ３１０内に含まれる。したがって、本発明は、垂直方向、ならびに２つの横方向でのビンディングからの解除を容易にする、垂直方向および横方向の圧力角によって構成される単一の機構を特徴とする。
【００７４】
図から分かるように、プランジャの長手方向圧力面上の表面積、または垂直踵の張力解除のために構成される表面積は、横方向圧力面上の表面積、または横方向踵の張力解除を提供するように構成される表面積よりもはるかに大きい。これは、足が、横方向の剪断力による横方向よりも、垂直踵／爪先方向の方の力または圧力に耐え得るからである。したがって、ビンディングを解除しないように保つために、垂直の解除に必要な力を増加させることができる。これらの力に対応するために、長手方向圧力面は、より大きな表面積を備える。プランジャの横方向側、および横方向の解除角度に関しては逆のことが言える。足は、同様に剪断力に対処することができないので、同程度の大きさの力に適応する必要がない。したがって、ビンディングの横方向側は、より小さな表面積を有するより小さな解除角度によって構成される。
【００７５】
当然、ライザを伴わないもの等、その他の構成の踵プランジャが本明細書で考慮される。実際に、圧力面および対応する圧力角が、任意の数の異なるプランジャ構成内に組み込まれ得る。本明細書では、下記に論じる踵および爪先のラッチが、長手および横方向の両方の圧力面および対応する圧力角も備えることに特に留意されたい。
【００７６】
図１０を参照すると、本発明のビンディングシステムは、ベースアセンブリ６０、特にデッキプレート１００と、滑走ボード２のデッキまたは上側表面４との間での設置のために構成される、デッキパッド５１０をさらに備え得る。デッキパッド５１０は、複数の機能を提供し、そのそれぞれがベースアセンブリと滑走ボードとの間の相互作用またはインターフェースを強化する。例えば、デッキパッドは、滑走ボードを保護するように、ならびにベースアセンブリ６０およびビンディングシステム全体と、滑走ボードとの相互作用を向上させるように機能する。示されているデッキパッド５１０は、デッキプレート１００およびボンネット１２０の寸法および形状、または外形に実質的に対応する、寸法および形状、または外形を有するゴム製ガスケットを備える。当然、これは、いかなる形であれ限定するものではなく、デッキパッド５１０は、あらゆる所望の寸法または形状を備えてもよい。
【００７７】
ゴム製インターフェースは、使用中、ならびにベースアセンブリ６０が異なるスタンス配向を達成するように回転させられる時に、滑走ボードを保護することに役立つ。デッキパッド５１０は、ベースアセンブリ６０と滑走ボードとの間に作用する負荷または圧力を均一に分布させることに役立つように構成され得る。デッキパッド５１０は、適切な回転を容易にするために、滑走ボードとベースアセンブリとの間に適切な張力を提供する。実際に、ベース部分と滑走ボードとの間の圧力が過大である場合、ベースアセンブリは回転させられ難くなる。その逆に、圧力が過小である場合、ベースアセンブリが緩むか、反応が遅いか、または柔らかいという感覚をユーザに与え得る。
【００７８】
デッキパッド５１０は、１つ以上の隆起表面をさらに備え得、デッキパッド５１０の外辺部周辺に延在する隆起表面５２２として示されている。本構成では、外面は、内面５２６よりも大きな高さを提供するように隆起される。隆起表面の存在は、ベースアセンブリ６０と滑走ボードとの間の抵抗を制御することに役立つ。実際に、多くの滑走ボードの上側表面は、わずかな湾曲を備える。大多数の既存の滑走ボードに適応するビンディングシステムを提供するために、変動する表面を有するデッキパッドが望ましい。そして、大多数の滑走ボードは、凸状の湾曲を備えているので、隆起外面を有するデッキパッドは、ベースアセンブリと滑走ボードとの間の良好かつ適切な嵌合を容易にし、また、滑走ボードの周囲でのベースアセンブリの適切な回転を容易にする。隆起表面の高さは、使用されている滑走ボードのタイプによって変動し得る。
【００７９】
デッキパッド５１０の寸法は、デッキパッド５１０の外辺部５１４が、ベースアセンブリ６０の外辺部を超えて延在しないように、ベースアセンブリ６０よりもわずかに小さくなり得る。デッキパッド５１０は、支持ディスクを受容して、支持ディスクを滑走ボードのデッキの上に直接載置させるためのものか、または滑走ボードおよび／もしくはベースアセンブリの装着穴に対応するもの等の、種々の開口を備え得る。デッキパッド５１０は、デッキプレート１００の底部に形成される、対応するスロットまたは開口内に受容されるように構成される、ナブ５１８等の、１つ以上のナブまたは突出部を備え得る。１つ以上のナブの存在は、ベースアセンブリ６０および滑走ボードに対するデッキパッド５１０の適切な位置を保持することに役立ち得る。
【００８０】
デッキパッド５１０は、ゴム、ナイロン等の異なる材料で形成され得る。加えて、ベースパッド５１０は、滑走ボードに対するベースアセンブリ６０の所望の高さに応じて、異なる厚さを備え得る。
【００８１】
代替の一実施形態にでは、デッキパッドは、別々のピースまたは構造ではなく、ベースアセンブリのデッキプレートまたは他の構成要素と一体的に形成され得る。
【００８２】
図１１〜１３を参照すると、本発明の別の例示的実施形態による、ベースアセンブリ１０６０の複数の図が示されている。上記に論じ、図１〜９に示されているベースアセンブリ６０の実施形態に関して上述したものと同じであるか、または類似しているため、この特定の実施形態の全ての構成要素が具体的に説明されるとは限らないことに留意されたい。したがって、上記に記載したようなベースアセンブリ６０の説明は、関連する、および適用可能な場合に組み込まれる。図１１〜１３は、追加的または異なって構成される構成要素を示すために提供され、当該構成要素は、以下に具体的に説明する。
【００８３】
示されているように、ベースアセンブリ１０６０は、枢動点１２２６の周りで回転可能または枢動可能に連結され、かつボンネット１１２０とともに動作可能なパムナットとともに動作可能な締結具によって適所に固定される、付勢ロッキングレバー１２１４を有する、調整機構１２１０を備える。ロッキングレバー１２１４は、調整機構１２１０を作動させる際に、ユーザとの人間工学的なインターフェースを提供するように設計される、ハンドルまたはノブ１２１８をさらに備える。示されている実施形態では、調整機構１２１０は、支持ディスク内に形成される対応する歯（図示せず）に係合するように構成される、ロッキングレバー１２１４内に形成される一連の、またはラックの歯１２２２を備える。調整機構１２１０に関する詳細は、上記に記載されている。
【００８４】
この特定の実施形態では、ばね１２３０は、支持ディスクに対して、係合位置の方へロッキングレバー１２１４を付勢するように機能する。ばね１２３０は、ボンネット１１２０の下側に、好ましくは、支持ディスクに対してロッキングレバー１２１４を強制するか、または付勢する時に、支点および機械的拡大率を十分に使用する位置に形成される、開口１１４２内で支持されるか、またはその中に含まれる。高負荷ベアリングばねを備える、ばね１２３０は、ロッキングレバー１２１４が調整機構を作動させるように枢動または回転させられる時に、ロッキングレバー１２１４の縁部１２１６に沿って追随するように設計されるチップインサート１２３２をさらに支持する。チップインサート１２３２は、動作中に、ばね１２３０とロッキングレバー１２１４との間の摩擦を低減するように機能する。チップインサート１２３２は、縁部１２１６の表面にわたるチップインサート１２３２の摺動を容易にする、ドーム形の上部を備えるように示されている。
【００８５】
ベースアセンブリ１０６０は、その中に形成されるカム部分１２４６を有する解除レバー１２４４を備える、解除機構１２４０をさらに備え、解除レバー１２４４は、枢動点の周りを回転可能または枢動可能に連結され、また、ボンネット１１２０内で支持されるパムナットとともに動作する締結具を介して、適所に固定される。解除レバー１２４４は、解除機構１２４０を手動で作動させる際に、ユーザとの人間工学的なインターフェースを提供するように設計される、ハンドルまたはノブ１２４８をさらに備える。解除レバー１２４４は、ユーザが、ベースアセンブリ１０６０からビンディングを解除し、したがって、滑走ボードからユーザの足を解除するように、解除機構１２４０を手動で作動させることを可能にする。この手動による解除機能は、上記に詳細に説明されている。
【００８６】
この特定の実施形態では、解除レバー１２４４は、後退または未作動位置（爪先および踵プランジャの正常な動作位置）にある間、解除レバー１２４４を適所に固定する戻り止めロッキング機能を備える。図１１は、後退位置にある解除レバー１２４４を示し、一方で、図１２は、完全に作動した位置（爪先または踵プランジャが後退位置）にある解除レバー１２４４を示している。具体的には、解除レバー１２４４は、解除レバー１２４４のステム１２４５内に形成される、戻り止め１２４７を備える。戻り止め１２４７は、解除レバー１２４４が完全な後退位置にある時に、ボンネット１１２０内で、またはボンネットとデッキプレート１１００との間に支持されるポストに係合するように寸法設定および構成される。戻り止め１２４７は、好ましくは、ポストとの締まり嵌めを提供し、したがって、ロッキングレバー１２４４を適所に固定するように寸法設定および構成される。戻り止め１２４７は、戻り止めをポストの周囲の適所に「スナップ留め」することができるようにする、カム部分１２４９を備えるようにも示されている。解除レバー１２４４は、戻り止め１２４７を囲む、または画定するステム構造の少なくとも一部のわずかな歪曲またはばねの遊びを許容し、したがって、ポストの周囲での解除レバー１２４４の「スナップ留め」作用を高めるために、戻り止め１２４７に近接する解除レバー１２４４のステム１２４５内に形成されるか、屈折した、または弓形の解除ノッチ１２５０をさらに備える。解除レバー１２４４を後退位置から作動させると、戻り止め１２４７は、ポストに力を及ぼし、ノッチ１２５０によって戻り止め１２４７を屈曲させて、ポストからスナップ解除する。同様に、解除レバー１２４４を完全に後退させるために、戻り止めがポストと接触させられ、そして、解除レバー１２４４がさらに回転させられ、かつノッチ１２５０の形成によって提供される戻り止めを屈曲させるばね力を克服するために、好適な力が必要である。これを克服すると、解除レバー１２４４は、ポストとしっかりと係合される戻り止めによって適所にスナップ留めする。
【００８７】
図１４〜２４を参照すると、本発明のビンディングシステム内で動作するように構成され、特に、上記に論じた例示的なもの等の、ビンディングおよびベースアセンブリを伴う、例示的なビンディングアセンブリ１０１４およびその種々の構成要素が示されている。例示的なビンディングアセンブリ１０１４は、ビンディング１０３０に動作可能に連結する、ブーツアセンブリ１０１８を備える。ブーツアセンブリ１０１８は、ユーザの足を受容して固定するように構成され、かつ、本明細書に記載されているか、または当技術分野において既知のもの等の、１つ以上の締結構成とともに動作可能である、ブーツ構成を備える。ブーツアセンブリ１０１８は、ビンディング１０３０に連結するように構成され、ビンディング１０３０は、ベースアセンブリおよび滑走ボードの周囲でユーザの足を支持するようにブーツアセンブリ１０１８とともに機能する。
【００８８】
示されている例示的な実施形態では、ビンディング１０３０は、ユーザの足を受容して支持するための、または１つ以上のフットプレート（前方フットプレート１０２８および後方フットプレート１０２９を参照されたい）を支持するための上側表面および下側表面１０３６を有する主支持プレート１０３２を備え、当該支持プレートは、ビンディング１０３０がそこに解除可能に連結される時に、それぞれがベースアセンブリにある、ボンネット（図示せず）の上側表面（図示せず）、および支持ディスク（図示せず）の上部プレート（図示せず）に隣接して配置され、かつこれらに載置されるように構成される。特定のビンディングは、ある側面では上記に論じられ、図１〜３に示されているビンディング３０と同様であるが、本明細書で論じられるいくつかの注目すべき違いがある。
【００８９】
ビンディング１０３０は、それが連結されるベースアセンブリに対応するように寸法設定および成形される。ビンディング１０３０の主支持プレート１０３２の下側表面１０３６は、ボンネットの上側表面と直接接触し、かつこれに載置され得る。代替として、主支持プレート１０３２は、ボンネットの上側表面と接触し、かつこれに載置されるように設計される、１つ以上のナブまたは突出部１０４１を備え得る。これらのナブは、滑走ボードの周囲でのユーザの安定性を増加させ、そして、張力解除前のベースアセンブリに対するビンディング１０３０の保持を「堅くする」ために利用され得る。ナブ１０４１はまた、氷および雪の小さい窪みが存在する（スノーボードの場合）時に、保持を安定させることに役立ち得る。
【００９０】
ベースアセンブリとともに動作することが意図されるので、ビンディング１０３０は、したがって、主支持プレート１０３２の前方部分に設置され、かつそこから延在する、爪先支持または爪先ピース１０４０を備える。爪先ピース１０４０は、ベースアセンブリのボンネットの前方部分または前方表面に一致する、幾何学的構成を備える。より具体的には、爪先ピース１０４０は、内面１０４２および外面１０４３によって構成され、内面１０４２は、ボンネットの外側前方表面に係合するように設計および構成され、ボンネットの前方表面は、爪先ピース１０４０およびビンディング１０３０に支持を提供する。爪先ピース１０４０は、その内面１０４２内に形成される、受容部１０４４をさらに備える。受容部１０４４は、上記に論じたように、ベースアセンブリの爪先プランジャ（図示せず）を受容または係合し、かつ解除可能に固定するように寸法設定および構成され、したがって、ビンディング１０３０をベースアセンブリに解除可能に連結する。爪先プランジャは、事前設定された張力設定を備え、それは、ビンディング１０３０に対して作用する反力を提供する。したがって、受容部１０４４は、爪先プランジャの一部分がその中に挿入されるような幾何学的構成を備える。
【００９１】
同様に、ビンディング１０３０は、主支持プレート１０３２の後方部分に設置され、かつそこから延在する、踵支持部または踵ピース１０４６をさらに備える。踵ピース１０４６は、ベースアセンブリのボンネットの後方部分または後方表面の幾何学的構成に一致する、幾何学的構成を有する。より具体的には、踵ピース１０４６は、同じく上記に論じたように、内面１０４７および外面１０４８によって構成され、内面１０４７は、ボンネットの外側後方表面に係合するように設計および構成され、ボンネットの後方表面は、踵ピース１０４６およびビンディング１０３０に支持を提供する。踵ピース１０４６は、その内面１０４７内に形成される、受容部１０５０をさらに備える。受容部１０５０は、ベースアセンブリの踵プランジャ（図示せず）を受容または係合し、かつ解除可能に固定するように構成され、したがって、ビンディング１０３０をベースアセンブリに解除可能に連結する。踵プランジャは、爪先プランジャと同様に、事前設定された張力設定を備えるが、それは、ビンディング１０３０に対して作用する反力を提供する。したがって、受容部１０５０は、踵プランジャの一部分がその中に挿入されるような幾何学的構成を備える。それらの構成により、爪先ピースまたは爪先支持部１０４０、および踵ピースまたは踵支持部１０４６は、ベースアセンブリの周囲でビンディング１０３０に対して横方向および長手方向のどちらの支持も提供する連結手段として機能する。
【００９２】
ビンディング１０３０は、それぞれ、ベースアセンブリの調整機構および解除機構、またはそれらの構成部品のうちのいずれかの変位または作動を妨げずに、ビンディング１０３０がベースアセンブリに連結できるようにする、ビンディング１０３０の両側に設置される、側部窓１０５２および１０５４を備える。側部窓１０５２および１０５４は、それぞれ、爪先ピース１０４０および踵ピース１０４６の縁部、ならびに主支持プレート１０３２の下側表面１０３６の縁部によって画定される。
【００９３】
主支持プレート１０３２の上側表面の周囲には、ユーザの足を支持するビンディングの表面積を増加させるように機能する、前方フットプレート１０２８および後方フットプレート１０２９が支持される。当然、２つのフットプレートではなく、単一のフットプレートが使用されてもよい。一側面では、前方フットプレート１０２８は、固定されているように示されているが、前方フットプレート１０２８が、後方フットプレート１０２９に対して調整することができるようにするために、ビンディング１０３０に摺動可能に連結されるように構成される。これは、ビンディング１０３０が、異なる足の寸法を有するユーザにより良好に適応できるようにする。当然、前方フットプレート１０２８および後方フットプレート１０２９のそれぞれは、ビンディング１０３０に固定されるか、またはこれに摺動可能に連結されてもよい。前方フットプレート１０２８は、主支持プレート１０３２の上側表面内に形成される軌道１０３７および１０３９に対応し、かつこの中を摺動する、その下側に形成される、第１のレール１０２９および第２のレール１０３１を備える。前方フットプレートを摺動可能に調整するためには、ユーザは、単に、前方フットプレートをビンディングに連結しているファスナを緩め、前方フットプレートを望ましい位置に摺動させ、次いで、締結具を再び締め付けてフットプレートを適所に固定するだけである。フットプレートが変位するにつれて、締結具は、前方フットプレート内に形成されるスロット１０２７内を摺動する。前方フットプレート１０２８（ならびに後方フットプレート１０２９）は、それがビンディング１０３０とともに適切に機能できるようにするために、かつ、踵カップ１０１９のフランジまたは翼状部１０２１等の種々の構成要素を収容するために、種々の凹部または隆起表面をさらに備え得る。
【００９４】
前方フットプレート１０２８および後方フットプレート１０２９は、フットプレートの表面にさらなる握りを提供するために、カバーをさらに備え得る。示されているように、前方フットプレート１０２８および後方フットプレート１０２９は、どちらもそれぞれ薄い、ゴム引きのプラスチック成形したカバーを備える。代替として、前方フットプレート１０２８および後方フットプレート１０２９は、フットプレートの構成に一致するように型抜きすることができる、接着タイプのカバーを備えてもよい。当業者は、他の変形例および可能性を認識するであろう。
【００９５】
示されているように、ビンディングアセンブリ１０１０は、ユーザの足を支持するように、かつユーザの足をビンディングシステム内に、および滑走ボードに固定するように設計および構成される、ブーツアセンブリ１０１８をさらに備え得る。ブーツアセンブリ１０１８は、フランジまたは翼状部１０２１および対応する締結具を介して、ビンディング１０３０に解除可能かつしっかりと装着される、踵カップ１０１９を備える。ブーツアセンブリ１０１８は、ビンディングをユーザの足に固定するように動作する、例示的な前方ストラップシステム１０８１および後方ストラップシステム１０９１等の、ストラップ保持システムも備える。
【００９６】
示されているように、踵カップ１０１９は、ユーザの脚および足の後方に続き、その周囲に延在するために、ビンディング１０３０から上向きおよび後方へ延在する、安定部１０２５を備える。安定部１０２５は、複数の機能を提供する、剛体の支持部構成要素として設計される。第１に、安定部１０２５は、枢動脚支持部１０７１のためのリミッタまたはストッパとしての役割を果たし得る。第２に、安定部１０２５は、それぞれ、前方ストラップシステム１０８１および後方ストラップシステム１０９１の一方または両方のための、ならびに脚支持部１０７１のためのマウントを提供し得る。第３に、安定部１０２５は、滑走ボードの使用中に、ユーザに保護を提供し得る。示されているように、後方脚支持部１０７１は、安定部１０２５に枢動可能に装着される。第２のストラップシステム１０８１も、安定部１０２５に枢動可能に装着される。
【００９７】
必ずではないが、踵カップ１０１９は、異なる寸法のユーザに適応するように、調整性の要素を提供するために、ビンディング１０３０に摺動可能に装着され得る。踵カップ１０１９は、踵カップ１０１９の調整を容易にする、そのフランジ１０２１（前後のフランジの両方）のそれぞれに形成される、スロット１０２３を備え得る。示されているように、踵カップ１０１９は、前方フットプレート１０２８および後方フットプレート１０２９の下に保持されるそのフランジ１０２１とともにビンディング１０３０に装着され、したがって、それぞれをビンディング１０３０に固定するために、同一のファスナを使用することができるようになる。前記フットプレートと同様に、踵カップ１０１９は、種々のフランジを固定するファスナを緩め、踵カップを（スロット１０２３を介して）前後に摺動させることによって、それを位置決めまたは再び位置決めし、次いで、ファスナを締め付けて踵カップを適所に固定することによって、調整され得る。
【００９８】
踵カップ１０１９は、多くの異なる構成およびデザインを備え得る。示されている例示的な実施形態では、踵カップ１０１９、および特に安定部１０２５は、より人間工学的なブーツの嵌合を提供するように設計される、わずかな曲がりを備える。
【００９９】
当業者によって認識されるように、前方ストラップシステム１０８１および後方ストラップシステム１０９１は、本明細書に示され、論じられているもの、または当技術分野において既知であるあらゆるもの、および本発明のビンディングシステム１０１０とともに動作することができるもの等の、あらゆる設計を組み込み得る。示されている例示的な実施形態では、前方ストラップシステム１０９１は、軸１０６９をストラップ１０７３の表面に対して横断方向に受容して係合するように設計および構成される開口を有する、ストラップ１０７３を備える。軸１０６９は、ストラップ１０７３の両側から突出する端を備えるように、ストラップ１０７３の厚さよりも大きい長さまたは高さを備える。軸１０６９は、好ましくは、ストラップ１０７３の開口内の中央に置かれるように設計される。適所に位置すると、ストラップを、ビンディング１０３０の側壁１０３４内に形成されるスロット１０７９内に送り込むか、または挿入することができる。スロット１０７９内には、ストラップ１０７３がスロット１０７９を通って全て滑り落ちることを防止するために、軸１０６９を受容して係合する鳩尾状のオリフィス１０８０が形成される。本質的には、軸は、ストラップ１０７３をビンディング１０３０にしっかりと連結するために、鳩尾状オリフィス１０８０内に保持される。ストラップ１０７３は、端１０７５の表面とスロット１０７９との間に締まり嵌めを提供するために、スロット１０７９よりもわずかに小さく寸法設定される外辺部１０７７を有する、タブ１０７５をさらに備え得る。
【０１００】
本構成では、ストラップ１０７３は、軸１０６９を鳩尾状オリフィス１０８０内に回転可能に固定することによって容易にされるような、ビンディング１０３０にしっかりと連結されるだけでなく、枢動または回転するようにも構成されるか、またはそうできるようになる。この特定のタイプの保持システムは、ストラップをビンディングに解除可能に連結するための効率的で容易な方法を提供するという点で有利である。加えて、それが無ければストラップをビンディングに連結することに必要になり得る、ねじ等の、多くの追加的な装着構成要素を排除する。
【０１０１】
最終的に、本発明は、それらの機能上の関係に関連して、構成要素の材料または種々の構成要素の材料処理をさらに考慮することに留意されたい。本発明では、多数の移動構成要素が存在し、そのうちのいくつかは、相互に接触し、また、そのうちのいくつかは、種々の動作状態の間に、高負荷の下でそれらを相互に接触させる圧力および張力を受ける。このような構成要素は、堅牢な相互作用を提供および保持するために、特別な材料から成り得、または特別に処理され得る。例えば、相互に、または他の材料と接触する（例えば、ストッパとして機能する、ボンネット１２０と接触する解除レバー２４４）全ての金属部品は、硬質陽極酸化アルミニウムであってもよい。これは、摩損を大幅に低減または排除することに役立ち得る。別の実施例として、プラスチック構成要素は、「超強靭」ナイロンで形成され得る。ナイロン樹脂は、高い潤滑性向を有する。研磨によって成形される、またはセミスリックのナイロン構成要素は、摩損を伴わずに、強制的負荷の下で一緒に良好に動作する。強制的負荷条件の下でアルミニウム構成要素とともに動作するナイロン構成要素は、特にアルミニウムが陽極酸化される場合に、同じ利点を享受する。ナイロンはまた、高度の弾力および延性を持っている。本発明は、締結具が要求される場合にこの特徴を利用し得る。例えば、標準的なシートメタルねじが、ボンネットをデッキプレートに固定するために使用され得、このねじは、割れまたはねじ山の不具合を伴わずに、ボンネット内に成形されるボス内に送り込まれ得る。「超強靭」ナイロンを使用することによって、ナイロン内に形成される任意のねじ山は、高度の保持完全性を提供する。このように、一緒に動作する本発明の全ての構成要素は、このような材料または材料処理を含むことが好ましい。
【０１０２】
上述の詳細な説明は、特定の例示的実施形態を参照して本発明を説明している。しかしながら、添付の特許請求の範囲に述べられている本発明の範囲から逸脱することなく、種々の修正および変更を行うことができることを理解されたい。詳細な説明および添付の図面は、限定するものではなく、例示的なものに過ぎないと見なされるべきであり、全てのそのような修正および変更は、いかなるものでも本明細書に説明されて、述べられている本発明の範囲内に含まれることを意図している。
【０１０３】
より具体的には、本発明の例示的な実施形態を本明細書に説明してきたが、本発明は、これらの実施形態に限定されず、上述の詳細な説明に基づいた、当業者によって理解されるような変更、省略、（例えば、種々の実施形態全体にわたる側面の）組み合せ、改作、および／もしくは改変を有するあらゆる全ての実施形態を含む。特許請求の範囲の限定は、特許請求の範囲に採用されている言語に基づいて広く解釈されるべきであり、上述の詳細な説明に、または本出願の審査中に説明される実施例に限定されるものではなく、実施例は、排他的なものではないと解釈されるべきである。たとえば、本開示では、「好ましくは」という用語は排他的ではなく、この場合「好ましくは、ただしそれに限定されない」ことを意味することを意図している。任意の方法またはプロセスの請求項に詳述されている任意のステップは、任意の順番に実行されてもよく、請求項に提示されている順番に限定されない。手段に加えた機能、またはステップに加えた機能の限定は、特定の請求項の限定に対して、以下の全てのａ）「関連する手段」または「関連するステップ」が、明確に詳述されている、ｂ）対応する機能が明確に詳述されている、という条件がその限定に存在する場合にのみ用いられる。手段に加えた機能を支持する構造、材料、または動作は、本明細書の説明において明示的に詳述される。したがって、本発明の範囲は、上記に与えられた説明および実施例によってではなく、添付の特許請求の範囲およびその法的な等価物によってのみ決定されるべきである。
【図１】
2010538756.tif 000003
【図２】
2010538756.tif 000004
【図３】
2010538756.tif 000005
【図４】
2010538756.tif 000006
【図５】
2010538756.tif 000007
【図６】
2010538756.tif 000008
【図７】
2010538756.tif 000009
【図８】
2010538756.tif 000010
【図９−Ａ】
2010538756.tif 000011
【図９−Ｂ】
2010538756.tif 000012
【図９−Ｃ】
2010538756.tif 000013
【図１０】
2010538756.tif 000014
【図１１】
2010538756.tif 000015
【図１２】
2010538756.tif 000016
【図１３】
2010538756.tif 000017
【図１４】
2010538756.tif 000018
【図１５】
2010538756.tif 000019
【図１６】
2010538756.tif 000020
【図１７】
2010538756.tif 000021
【図１８】
2010538756.tif 000022
【図１９】
2010538756.tif 000023
【図２０】
2010538756.tif 000024
【図２１】
2010538756.tif 000025
【図２２】
2010538756.tif 000026
【図２３】
2010538756.tif 000027
【図２４】
2010538756.tif 000028
【国際調査報告】
2010538756.tif 000029
2010538756.tif 000030